(57)【要約】【課題】２次元画像信号の持つ階調度を低下させることなく、従来のデュアルリンク信号伝送系を用いて、当該２次元画像信号とその奥行き情報とを含む３次元画像信号を伝送できるようにする。【解決手段】２次元画像信号Ｓ１１を信号分離した後の一方をリンクＬａに送信し、かつ、信号分離された他方と奥行き情報Ｓ２１とを多重してリンクＬｂに送信する送信装置１０１と、リンクＬａから一方の２次元画像信号Ｓ１１を受信すると共に、リンクＬｂから他方の２次元画像信号Ｓ１１及び奥行き情報Ｓ２１を受信してこれらを分離し、リンクＬａ及びリンクＬｂから受信した２次元画像信号Ｓ１１を合成した後の２次元画像信号Ｓ１１と、分離された奥行き情報Ｓ２１とを含む３次元画像信号ＳＲ１を出力する受信装置２０１と、２系統のリンクＬａ，Ｌｂを有する信号伝送部３０とを備えるものである。【選択図】  図１
2010114861.tif 000002
【特許請求の範囲】
【請求項１】
２次元画像信号と当該２次元画像信号の奥行き情報とを含む３次元画像信号を２系統の信号伝送系を使用して受信装置に伝送する場合に、前記２次元画像信号と当該２次元画像信号の奥行き情報とを含む３次元画像信号を入力し、前記２次元画像信号を信号分離し、信号分離された一方の前記２次元画像信号を第１の信号伝送系に送信し、かつ、信号分離された他方の２次元画像信号と前記奥行き情報とを多重して第２の信号伝送系に送信する送信装置。
【請求項２】
パラレルビット構成の前記２次元画像信号をＹＣビット分離する信号分離部を備える請求項１に記載の送信装置。
【請求項３】
前記信号分離部によってＹＣビット分離されたパラレルビット構成の前記２次元画像信号をシリアルビット構成の２次元画像信号に変換して前記第１の信号伝送系に出力する第１の信号処理部と、
前記ＹＣビット分離後のパラレルビット構成の前記２次元画像信号及びパラレルビット構成の奥行き情報をシリアルビット構成の２次元画像信号及び奥行き情報に変換すると共に多重して前記第２の信号伝送系に出力する第２の信号処理部とを有する請求項２に記載の送信装置。
【請求項４】
前記第１の信号処理部は、
前記シリアルビット構成の２次元画像信号に当該２次元画像信号を制御する制御信号を多重し、
前記第２の信号処理部は、
前記シリアルビット構成の２次元画像信号及び奥行き情報に伝送先の電子機器を制御するための制御信号を多重する請求項３に記載の送信装置。
【請求項５】
前記信号分離部によってＹＣビット分離されたパラレルビット構成の前記２次元画像信号に当該２次元画像信号の奥行き情報を多重するビット生成部を有する請求項２に記載の送信装置。
【請求項６】
前記ビット生成部は、
前記信号分離部によってＹＣビット分離されたパラレルビット構成の前記２次元画像信号の奇数ピクセル又は及び偶数ピクセルに対して信号多重のための予約ビットを生成する請求項５に記載の送信装置。
【請求項７】
２次元画像信号と当該２次元画像信号の奥行き情報とを含む３次元画像信号を２系統の信号伝送系を使用して送信装置から受信する場合に、第１の信号伝送系から信号分離された一方の前記２次元画像信号を受信すると共に、第２の信号伝送系から多重された他方の前記２次元画像信号及び奥行き情報を受信し、前記第２の信号伝送系から受信した２次元画像信号と奥行き情報とを分離し、前記第１の信号伝送系から受信した２次元画像信号と前記第２の信号伝送系から受信した２次元画像信号とを合成し、合成された前記２次元画像信号と分離された奥行き情報とを含む３次元画像信号を出力する受信装置。
【請求項８】
前記第１の信号伝送系から受信したシリアルビット構成の前記２次元画像信号と、前記第２の信号伝送系から受信したシリアルビット構成の前記２次元画像信号及び奥行き情報との位相を調整する位相調整部を有する請求項７に記載の受信装置。
【請求項９】
前記位相調整部によって位相調整された前記第１の信号伝送系からのシリアルビット構成の前記２次元画像信号をパラレルビット構成の２次元画像信号に変換する第１の信号処理部と、
前記位相調整部によって位相調整された前記第２の信号伝送系からのシリアルビット構成の前記２次元画像信号及び奥行き情報をパラレルビット構成の２次元画像信号及び奥行き情報に変換する第２の信号処理部とを有する請求項８に記載の受信装置。
【請求項１０】
前記第１の信号処理部から出力される前記パラレルビット構成の２次元画像信号と前記第２の信号処理部から出力される前記パラレルビット構成の２次元画像信号とをＹＣビット合成する信号合成部とを有する請求項９に記載の受信装置。
【請求項１１】
前記第２の信号処理部から出力される前記パラレルビット構成の２次元画像信号と奥行き情報とを信号分解するビット分解部を有する請求項１０に記載の受信装置。
【請求項１２】
前記ビット分解部は、
前記第２の信号処理部から出力される前記パラレルビット構成の２次元画像信号を奇数ピクセル又は及び偶数ピクセルに信号分解する請求項１１に記載の受信装置。
【請求項１３】
２次元画像信号と当該２次元画像信号の奥行き情報とを含む３次元画像信号を入力し、前記２次元画像信号を信号分離し、信号分離された一方の前記２次元画像信号を第１の信号伝送系に送信し、かつ、信号分離された他方の２次元画像信号と前記奥行き情報とを多重して第２の信号伝送系に送信する送信装置と、
前記第１の信号伝送系から信号分離された一方の前記２次元画像信号を受信すると共に、前記第２の信号伝送系から多重された他方の前記２次元画像信号及び奥行き情報を受信し、前記第２の信号伝送系から受信した２次元画像信号と奥行き情報とを分離し、前記第１の信号伝送系から受信した２次元画像信号と前記第２の信号伝送系から受信した２次元画像信号とを合成し、合成された前記２次元画像信号と分離された奥行き情報とを含む３次元画像信号を出力する受信装置と、
前記送信装置と受信装置とを接続する２系統の信号伝送系とを備える信号伝送システム。
【請求項１４】
３次元画像信号を伝送するシステムが、２次元画像信号と当該２次元画像信号の奥行き情報とを含む３次元画像信号を入力し、前記２次元画像信号を信号分離するステップと、
信号分離された一方の前記２次元画像信号を第１の信号伝送系に送信すると共に信号分離された他方の２次元画像信号と前記奥行き情報とを多重して第２の信号伝送系に送信するステップと、
前記第１の信号伝送系から信号分離された一方の前記２次元画像信号を受信すると共に前記第２の信号伝送系から多重された他方の前記２次元画像信号及び奥行き情報を受信するステップと、
前記第２の信号伝送系から受信した２次元画像信号と奥行き情報とを分離するステップと、
前記第１の信号伝送系から受信した２次元画像信号と前記第２の信号伝送系から受信した２次元画像信号とを合成するステップと、
合成された前記２次元画像信号と分離された奥行き情報とを含む３次元画像信号を出力するステップとを有する信号伝送方法。
【発明の詳細な説明】
【技術分野】
【０００１】
本発明は、デュアルリンク接続のシリアルディジタルインターフェースを用いて、３次元画像表示用の２次元画像信号及び奥行き情報を伝送する３次元画像信号伝送システムに適用可能な送信装置、受信装置、信号伝送システム及び信号伝送方法に関する。詳しくは、２次元画像信号と２次元画像信号の奥行き情報とを含む３次元画像信号を２系統の信号伝送系を使用して伝送する場合に、２次元画像信号を信号分離し、信号分離された一方の２次元画像信号を第１の信号伝送系に送信し、かつ、信号分離された他方の２次元画像信号と奥行き情報とを多重して第２の信号伝送系に送信して、デュアルリンク接続のシリアルディジタルインターフェースの一方のリンクで２次元画像信号を伝送できるようにすると共に、他方のリンクで２次元画像信号、かつ／または、奥行き情報を伝送できるようにしたものである。
【背景技術】
【０００２】
近年、テレビの薄型化、高精細化及び大画面化が進み、次のパラダイムシフトとして３次元画像表示に関する研究が盛んに行われている。両眼視差を用いた３次元画像信号の表示形式としては、従来、２次元画像信号とその奥行き情報とを組み合わせた形式と、左眼用２次元画像信号とその左眼用２次元画像信号に対応する右眼用２次元画像信号とを組み合わせた形式とがある。
【０００３】
前者の形式では、画像信号の表示装置側で、奥行き情報を２次元画像信号から抽出し、ここに抽出された奥行き情報に合わせた信号処理を当該２次元画像信号に施すことにより、鑑賞者は３次元画像信号を認識できるようになる。後者の方式では、左眼用２次元画像信号と右眼用２次元画像信号との間に視差を予め付けておくことによって、鑑賞者がその視差量に応じた奥行きを知覚することになり、表示された画像が３次元画像として認識できるようにしたものである。
【０００４】
２次元画像信号の伝送方法としては、放送業界などのプロフェッショナルな用途では、ＳＤＩ (Serial   Digital  Interface)規格が広く用いられている。ＳＤＩ規格には、標準画質の映像を伝送する際に使用されるＳＤ−ＳＤＩ規格と、高精細画像を伝送する際に使用されるＨＤ−ＳＤＩ規格があり、ＨＤ−ＳＤＩ規格には、シングルリンク接続とデュアルリンク接続の２つが存在する。
【０００５】
非特許文献１にはシングルリンク接続のインターフェースを利用した信号伝送技術が開示されている。この信号伝送技術によれば、例えば、水平解像度が１９２０ピクセルで、垂直解像度が１０８０ラインで、ＹＣｂＣｒ４２２方式の１０ビットの画像をプログレッシブ形式で毎秒３０フレーム、あるいは、インタレース形式で毎秒６０フィールドを伝送することが可能である。
【０００６】
一方、非特許文献２にはデュアルリンク接続のインターフェースを利用した信号伝送技術が開示されている。この信号伝送技術では、例えば、水平解像度が１９２０ピクセルで、垂直解像度が１０８０ラインで、ＹＣｂＣｒ４４４方式の１０ビットの画像をインタレース形式で毎秒６０フィールド、あるいは、水平解像度が１９２０ピクセルで、垂直解像度が１０８０ラインで、ＲＧＢ４４４方式の１０ビットの画像をインタレース形式で毎秒６０フィールドを伝送することが可能である。
【０００７】
また、３次元画像信号を伝送する従来技術に関連して、特許文献１には、３次元画像情報の伝送方法、送信側装置及び受信側装置が開示されている。この３次元画像情報の伝送方法によれば、ＤＶＩ等のディジタル信号を伝送可能なインターフェースを使用して、送信側装置から受信側装置へ３次元画像信号を伝送する場合に、このインターフェースには、ＲＧＢ各色８ビットの画像信号を伝送する機能が設けられ、このインターフェースで、ＲＧＢ各色６ビットの信号と奥行き情報６ビットを伝送する。
【０００８】
本方法の特徴として、伝送に必要なビットレートを変えずに、ＲＧＢ各色の下位２ビットを奥行き情報のビットに割り当てるようにした。このように送信側装置及び受信側装置を構成することで、元の２次元画像の最大表示可能色数を変えないまま３次元画像信号が伝送できるというものである。
【０００９】
また、特許文献１によれば、２次元画像信号のみを表示可能な表示装置で、上述の３次元画像信号を受信した場合においても、ＲＧＢ各色の下位２ビットが奥行き情報として認識されず、ＲＧＢの情報として認識されるだけであるため、鑑賞者がその色の違いを知覚することは、ほとんどないというものである。
【００１０】
【非特許文献１】Bit-Serial Digital Interface for High-Definition Television Systems (SMPTE STANDARD 292M-1998)
【非特許文献２】Dual Link 292M Interface for 1920x1080 Picture Raster (SMPTE STANDARD 372M-2002)
【特許文献１】特開２００７−１６６２７７号公報    （第１０頁  図１）
【発明の開示】
【発明が解決しようとする課題】
【００１１】
ところで、特許文献１に見られるような従来方式の３次元画像信号の伝送方式によれば、ＲＧＢ各色の下位２ビットを奥行き情報のビットに割り当てているので、表示色の階調度が１／４に低下してしまう。特に、片方のリンクしか受信できず、２次元画像信号のみによる画像を表示する画像表示装置においては、３次元画像信号を受信した場合、その色の違いを知覚することは、ほとんどないというものの、２次元画像信号の細かい階調表現を行った場合に目立つようになる。
【００１２】
また、ＳＤＩ規格を使用して高精細画像を伝送する用途では、画質劣化がない状態で撮影、記録及び再生ができることが求められ、僅かであっても階調度が犠牲になることは許容されないのが現状である。従って、細かい階調表現を必要とする３次元画像信号に基づく３次元画像を表示させる場合、何らの工夫無しに、特許文献１や、非特許文献１及び非特許文献２等の信号伝送技術を組み合わせても、２次元画像信号の持つ階調度を低下させてしまった場合、ユーザが知覚できる程度にまでその３次元画像の画質が劣化するという問題がある。
【００１３】
そこで、本発明はこのような課題を解決したものであって、２次元画像信号と２次元画像信号の奥行き情報とを含む３次元画像信号を伝送する場合に、２次元画像信号の持つ階調度を低下させることなく、従来のデュアルリンク信号伝送系を用いて、当該３次元画像信号を伝送できるようにした送信装置、受信装置、信号伝送システム及び信号伝送方法を提供することを目的とする。
【課題を解決するための手段】
【００１４】
上述した課題は、２次元画像信号と当該２次元画像信号の奥行き情報とを含む３次元画像信号を２系統の信号伝送系を使用して受信装置に伝送する場合に、前記２次元画像信号と当該２次元画像信号の奥行き情報とを含む３次元画像信号を入力し、前記２次元画像信号を信号分離し、信号分離された一方の前記２次元画像信号を第１の信号伝送系に送信し、かつ、信号分離された他方の２次元画像信号と前記奥行き情報とを多重して第２の信号伝送系に送信する送信装置によって解決される。
【００１５】
本発明に係る送信装置によれば、２次元画像信号と当該２次元画像信号の奥行き情報とを含む３次元画像信号を２系統の信号伝送系を使用して受信装置に伝送する場合に、例えば、信号分離部は、パラレルビット構成の２次元画像信号をＹＣビット分離する。第１の信号処理部は、信号分離部によってＹＣビット分離されたパラレルビット構成の２次元画像信号をシリアルビット構成の２次元画像信号に変換して第１の信号伝送系に出力する。第２の信号処理部は、ＹＣビット分離後のパラレルビット構成の２次元画像信号及びパラレルビット構成の奥行き情報を多重すると共にシリアルビット構成の２次元画像信号及び奥行き情報に変換して第２の信号伝送系に出力するようになる。従って、デュアルリンク接続のシリアルディジタルインターフェースの一方のリンクで２次元画像信号を伝送できるようになると共に、他方のリンクで２次元画像信号、かつ／または、奥行き情報を伝送できるようになる。
【００１６】
本発明に係る受信装置は、２次元画像信号と当該２次元画像信号の奥行き情報とを含む３次元画像信号を２系統の信号伝送系を使用して送信装置から受信する場合に、第１の信号伝送系から信号分離された一方の前記２次元画像信号を受信すると共に、第２の信号伝送系から多重された他方の前記２次元画像信号及び奥行き情報を受信し、前記第２の信号伝送系から受信した２次元画像信号と奥行き情報とを分離し、前記第１の信号伝送系から受信した２次元画像信号と前記第２の信号伝送系から受信した２次元画像信号とを合成し、合成された前記２次元画像信号と分離された奥行き情報とを含む３次元画像信号を出力するものである。
【００１７】
本発明に係る受信装置によれば、２次元画像信号と当該２次元画像信号の奥行き情報とを含む３次元画像信号を２系統の信号伝送系を使用して送信装置から受信する場合に、例えば、位相調整部は、第１の信号伝送系から受信したシリアルビット構成の２次元画像信号と、第２の信号伝送系から受信したシリアルビット構成の２次元画像信号及び奥行き情報との位相を調整する。第１の信号処理部は、位相調整部によって位相調整された第１の信号伝送系からのシリアルビット構成の２次元画像信号をパラレルビット構成の２次元画像信号に変換する。第２の信号処理部は、位相調整部によって位相調整された第２の信号伝送系からのシリアルビット構成の２次元画像信号及び奥行き情報をパラレルビット構成の２次元画像信号及び奥行き情報に変換する。信号合成部は、第１の信号処理部から出力されるパラレルビット構成の２次元画像信号と第２の信号処理部から出力されるパラレルビット構成の２次元画像信号とをＹＣビット合成するようになる。従って、デュアルリンク接続のシリアルディジタルインターフェースの一方のリンクで２次元画像信号を受信できると共に、他方のリンクで２次元画像信号、かつ／または、奥行き情報を受信できるようになる。
【００１８】
本発明に係る信号伝送システムは、２次元画像信号と当該２次元画像信号の奥行き情報とを含む３次元画像信号を入力し、前記２次元画像信号を信号分離し、信号分離された一方の前記２次元画像信号を第１の信号伝送系に送信し、かつ、信号分離された他方の２次元画像信号と前記奥行き情報とを多重して第２の信号伝送系に送信する送信装置と、前記第１の信号伝送系から信号分離された一方の前記２次元画像信号を受信すると共に、前記第２の信号伝送系から多重された他方の前記２次元画像信号及び奥行き情報を受信し、前記第２の信号伝送系から受信した２次元画像信号と奥行き情報とを分離し、前記第１の信号伝送系から受信した２次元画像信号と前記第２の信号伝送系から受信した２次元画像信号とを合成し、合成された前記２次元画像信号と分離された奥行き情報とを含む３次元画像信号を出力する受信装置と、前記送信装置と受信装置とを接続する２系統の信号伝送系とを備えるものである。
【００１９】
本発明に係る信号伝送方法は、３次元画像信号を伝送するシステムが、２次元画像信号と当該２次元画像信号の奥行き情報とを含む３次元画像信号を入力し、前記２次元画像信号を信号分離するステップと、信号分離された一方の前記２次元画像信号を第１の信号伝送系に送信すると共に信号分離された他方の２次元画像信号と前記奥行き情報とを多重して第２の信号伝送系に送信するステップと、前記第１の信号伝送系から信号分離された一方の前記２次元画像信号を受信すると共に前記第２の信号伝送系から多重された他方の前記２次元画像信号及び奥行き情報を受信するステップと、前記第２の信号伝送系から受信した２次元画像信号と奥行き情報とを分離するステップと、前記第１の信号伝送系から受信した２次元画像信号と前記第２の信号伝送系から受信した２次元画像信号とを合成するステップと、合成された前記２次元画像信号と分離された奥行き情報とを含む３次元画像信号を出力するステップとを有するものである。
【発明の効果】
【００２０】
本発明に係る送信装置によれば、２次元画像信号と２次元画像信号の奥行き情報とを含む３次元画像信号を２系統の信号伝送系を使用して伝送する場合に、２次元画像信号を信号分離し、信号分離された一方の２次元画像信号を第１の信号伝送系に送信し、かつ、信号分離された他方の２次元画像信号と奥行き情報とを多重して第２の信号伝送系に送信するようになされる。
【００２１】
この構成によって、デュアルリンク接続のシリアルディジタルインターフェースの一方のリンクで２次元画像信号を伝送できると共に、他方のリンクで２次元画像信号、かつ／または、奥行き情報を伝送できるようになる。
【００２２】
これにより、２次元画像信号の持つ階調度を低下させることなく、従来のデュアルリンク信号伝送系を用いて、２次元画像信号と２次元画像信号の奥行き情報とを含む３次元画像信号を伝送することができる。更に、片方のリンクしか受信できず、２次元画像信号のみが表示可能な画像表示装置において、３次元画像信号を受信した場合であっても、２次元画像信号のみを受信して表示可能となるような３次元画像信号の伝送システムを構築できるようになる。
【００２３】
本発明に係る受信装置によれば、２次元画像信号と２次元画像信号の奥行き情報とを含む３次元画像信号を２系統の信号伝送系を使用して受信する場合に、第２の信号伝送系から受信した２次元画像信号と奥行き情報とを分離し、第１の信号伝送系から受信した２次元画像信号と第２の信号伝送系から受信した２次元画像信号とを合成し、合成後の２次元画像信号と分離された奥行き情報とを含む３次元画像信号を出力するようになされる。
【００２４】
この構成によって、デュアルリンク接続のシリアルディジタルインターフェースの一方のリンクで２次元画像信号を受信できると共に、他方のリンクで２次元画像信号、かつ／または、奥行き情報を受信できるようになる。
【００２５】
これにより、２次元画像信号の持つ階調度を低下させることなく、従来のデュアルリンク信号伝送系を用いて、２次元画像信号と２次元画像信号の奥行き情報とを含む３次元画像信号を受信することができる。更に、片方のリンクしか受信できず、２次元画像信号のみが表示可能な画像表示装置において、３次元画像信号を受信した場合であっても、２次元画像信号のみを受信して表示可能となるような３次元画像信号の伝送システムを構築できるようになる。
【００２６】
本発明に係る信号伝送システム及び信号伝送方法によれば、２次元画像信号と２次元画像信号の奥行き情報とを含む３次元画像信号を伝送する場合に、本発明に係る送信装置及び受信装置が応用されるものである。
【００２７】
この構成によって、デュアルリンク接続のシリアルディジタルインターフェースの一方のリンクで２次元画像信号を伝送できると共に、他方のリンクで２次元画像信号、かつ／または、奥行き情報を伝送できるようになる。
【００２８】
これにより、２次元画像信号の持つ階調度を低下させることなく、従来のデュアルリンク信号伝送系を用いて、２次元画像信号と２次元画像信号の奥行き情報とを含む３次元画像信号を伝送することができる。更に、片方のリンクしか受信できず、２次元画像信号のみが表示可能な画像表示装置において、３次元画像信号を受信した場合であっても、２次元画像信号のみを受信して表示可能となるような３次元画像信号の伝送システムを構築できるようになる。
【発明を実施するための最良の形態】
【００２９】
以下、図面を参照しながら、本発明に係る送信装置、受信装置、信号伝送システム及び信号伝送方法を実施するための最良の形態について説明する。
【００３０】
１．第１の実施形態（第１の送信装置、受信装置及び３次元画像信号伝送システム）
２．第２の実施形態（第２の送信装置、受信装置及び３次元画像信号伝送システム）
３．第３の実施形態（第３の送信装置、受信装置及び３次元画像信号伝送システム）
【００３１】
＜第１の実施形態＞  
［第１の３次元画像信号伝送システム］  
図１は、本発明に係る第１の実施形態としての３次元画像信号伝送システム１００の構成例（送信装置）、図２は、その構成例（受信装置）を各々示すブロック図である。図１及び図２に示す３次元画像信号伝送システム１００は、信号伝送システムの一例を構成するものであり、３次元画像表示処理を行うための３次元画像信号を、例えば、記録再生装置から画像表示装置等へ伝送するものである。
【００３２】
３次元画像信号伝送システム１００は、例えば、信号伝送部３０、送信装置１０１及び受信装置２０１を有して構成される。送信装置１０１と受信装置２０１とは、２系統の信号伝送系の一例を構成する信号伝送部３０によって接続される。信号伝送部３０は、リンクＬａ，Ｌｂを有してデュアルリンク信号伝送系を構成する。リンクＬａ及びリンクＬｂには、輝度信号Ｙ［９：０］、色差信号Ｃｂ［９：０］、色差信号Ｃｒ［９：０］及び奥行き情報Ｓ２３の信号ＤＰＴ［９：０］が割り振られる。
【００３３】
送信装置１０１は、例えば、記録再生装置の信号出力段に設けられ、ＹＣビット分離部１１、シリアライザ１２及びシリアライザ１３を有して構成される。送信装置１０１は、２系統の信号伝送部３０に接続された受信装置２０１に、ＹＣｂＣｒ４４４方式の２次元画像信号Ｓ１１と当該２次元画像信号Ｓ１１の奥行き情報Ｓ２１とを含む３次元画像信号ＳＴ１を伝送するものである。
【００３４】
このＹＣｂＣｒ４４４方式の２次元画像信号Ｓ１１によれば、水平解像度が１９２０ピクセルで、垂直解像度が１０８０ラインとなる画像表示装置に対応して１０ビットのデータフォーマットで与えられる［Pixel Size:  1920×1080,  Color Space:  YCbCr444  10bit，  image  Format：  2D  image＋Depth，  Format  Rate:  30，29.97，25,  24,  23.98  progressive  and  Psf，:  60,  59.94  50  fields  Interlace］。
【００３５】
奥行き情報Ｓ２１によれば、水平解像度が１９２０ピクセルで、垂直解像度が１０８０ラインとなる画像表示装置に対応して１０ビットのデータフォーマットで与えられる。
【００３６】
ＹＣビット分離部１１は、信号分離部の一例を構成し、記録再生装置等から与えられるパラレルビット構成の２次元画像信号Ｓ１１を入力してＹＣビット分離する。
【００３７】
この例で、２次元画像信号Ｓ１１等を構成する輝度信号Ｙ、色差信号Ｃｂ及び色差信号Ｃｒや、奥行き情報Ｓ２１を構成する信号ＤＰＴ等の後に付与される数字は、各ラインにおけるピクセル番号を示すものとする。
【００３８】
例えば、送信装置１０１に３次元画像信号ＳＴ１が入力されると、ＹＣビット分離部１１は、２次元画像信号Ｓ１１から輝度信号Ｙ［９：０］、偶数ピクセルの色差信号Ｃｂ−ｅｖｅｎ［９：０］、偶数ピクセルの色差信号Ｃｒ−ｅｖｅｎ［９：０］、奇数ピクセルの色差信号Ｃｂ−ｏｄｄ［９：０］、奇数ピクセルの色差信号Ｃｒ−ｏｄｄ［９：０］の各々を取り出すように動作する。
【００３９】
ＹＣビット分離部１１によって取り出された輝度信号Ｙ［９：０］、偶数ピクセルの色差信号Ｃｂ−ｅｖｅｎ［９：０］及び偶数ピクセルの色差信号Ｃｒ−ｅｖｅｎ［９：０］は、シリアライザ１２に出力される。ＹＣビット分離部１１によって取り出された奇数ピクセルの色差信号Ｃｂ−ｏｄｄ［９：０］、奇数ピクセルの色差信号Ｃｒ−ｏｄｄ［９：０］の各々は、シリアライザ１３に出力される。
【００４０】
この例で、３次元画像信号ＳＴ１から奥行き情報Ｓ２１が取り出され、シリアライザ１３に入力される。奥行き情報Ｓ２１は信号ＤＰＴ［９：０］で与えられ、この奥行き情報Ｓ２１の信号ＤＰＴ［９：０］は、１０ビット幅であり、例えば、最も奥側が「０」で、最も手前側が「１０２３」のようにグレースケールで表現されるものである。送信側で、３次元画像信号ＳＴ１から奥行き情報Ｓ２１を抽出する手法については本発明の本質ではなく、いかなる手法を用いても良い。
【００４１】
ＹＣビット分離部１１には、シリアライザ１２及びシリアライザ１３が接続される。シリアライザ１２は第１の信号処理部の一例を構成し、ＹＣビット分離部１１によってＹＣビット分離されたパラレルビット構成の２次元画像信号Ｓ１１をシリアルビット構成の２次元画像信号Ｓ１１に変換してリンクＬａに出力する。シリアライザ１２はシリアルディジタルインターフェースを構成し、その出力端がリンクＬａに接続される。この例で、信号伝送部３０のリンクＬａとリンクＬｂには、輝度信号Ｙ［９：０］、色差信号Ｃｂ［９：０］、色差信号Ｃｒ［９：０］が割り振られる。リンクＬａには、水平解像度が１９２０ピクセルで、０〜１９１９ピクセルの輝度信号Ｙ［９：０］、偶数ピクセルの色差信号Ｃｂ−ｅｖｅｎ［９：０］及び、偶数ピクセルの色差信号Ｃｒ−ｅｖｅｎ［９：０］が割り当てられる（図３参照）。
【００４２】
シリアライザ１３は第２の信号処理部の一例を構成し、ＹＣビット分離後のパラレルビット構成の２次元画像信号Ｓ１１及びパラレルビット構成の奥行き情報Ｓ２１をシリアルビット構成の２次元画像信号Ｓ１１及び奥行き情報Ｓ２１に変換してリンクＬｂに出力する。シリアライザ１３はシリアルディジタルインターフェースを構成し、その出力端がリンクＬｂに接続される。リンクＬｂには、奥行き情報Ｓ２１の信号ＤＰＴ［９：０］及び、奇数ピクセルの色差信号Ｃｂ−ｏｄｄ［９：０］、奇数ピクセルの色差信号Ｃｒ−ｏｄｄ［９：０］が割り当てられる（図３参照）。
【００４３】
上述のシリアライザ１２やシリアライザ１３等は、シリアルビット構成の２次元画像信号Ｓ１１又は及び奥行き情報Ｓ２１に、伝送先の電子機器、例えば、画像表示装置を制御するための制御信号Ｓｃを多重する。この例で、制御信号Ｓｃは、例えば、水平同期信号（以下ＨＳＹＮＣ信号という）、垂直同期信号（以下ＶＳＹＮＣ信号という）、フィールド信号（以下ＦＩＥＬＤ信号という）及び、クロック信号（以下ＣＬＯＣＫ信号という）等である。
【００４４】
制御信号Ｓｃは、３次元画像の輝度信号Ｙや色差信号Ｃｂ，Ｃｒ、奥行き情報Ｓ２１等を構成する要素には無関係となるので、本発明では特に詳しく説明していない。３次元画像信号ＳＴ１を他の記録再生装置等の電子機器に伝送する場合、あるいは、画像表示装置に３次元用の画像を表示する場合は、ＨＳＹＮＣ信号、ＶＳＹＮＣ信号、ＦＩＥＬＤ信号及びＣＬＯＣＫ信号が必要になる。その場合には、これらの制御信号Ｓｃを３次元画像信号ＳＴ１に重畳して使用するようになされる。
【００４５】
上述の例では、ＨＳＹＮＣ信号、ＶＳＹＮＣ信号、ＦＩＥＬＤ信号及びＣＬＯＣＫ信号は、シリアライザ１２，１３にそれぞれシリアライズされた後、信号伝送部３０に送出される。ＨＳＹＮＣ信号、ＶＳＹＮＣ信号、ＦＩＥＬＤ信号及びＣＬＯＣＫ信号は、２次元画像信号Ｓ１１と奥行き情報Ｓ２１とで共通している。信号伝送部３０は、有線方式でも無線方式でも、どちらでもよい。
【００４６】
このように、送信装置１０１によれば、２系統のリンクＬａ，Ｌｂを有する信号伝送部３０に接続された受信装置２０１に、２次元画像信号Ｓ１１と当該２次元画像信号Ｓ１１の奥行き情報Ｓ２１とを含む３次元画像信号ＳＴ１を伝送する場合に、デュアルリンク接続のシリアルディジタルインターフェースの一方のリンクＬａで２次元画像信号Ｓ１１を伝送できるようになると共に、他方のリンクＬｂで２次元画像信号Ｓ１１、かつ／または、奥行き情報Ｓ２１を伝送できるようになる。
【００４７】
図２に示す受信装置２０１は、２系統のリンクＬａ，Ｌｂを有する信号伝送部３０に接続された送信装置１０１から２次元画像信号Ｓ１１と当該２次元画像信号Ｓ１１の奥行き情報Ｓ２１とを含む３次元画像信号ＳＴ１を受信するものである。受信装置２０１は、例えば、画像表示装置の信号入力段に設けられる。受信装置２０１は、入力ポート２１，２２、位相調整部２３、デシリアライザ２４，２５、ＹＣビット合成部２６を有して構成される。３次元画像信号ＳＴ１は、２次元画像信号Ｓ１１と当該２次元画像信号Ｓ１１の奥行き情報Ｓ２１とを含むものとする。
【００４８】
入力ポート２１は、一端が信号伝送部３０のリンクＬａに接続され、他端が位相調整部２３に接続され、リンクＬａから、ＹＣビット分離された一方の２次元画像信号Ｓ１１を受信する。入力ポート２２は、一端が信号伝送部３０のリンクＬｂに接続され、他端が位相調整部２３に接続され、リンクＬｂから多重された他方の２次元画像信号Ｓ１１及び奥行き情報Ｓ２１を受信する。
【００４９】
位相調整部２３は、リンクＬａから受信したシリアルビット構成の２次元画像信号Ｓ１１と、リンクＬｂから受信したシリアルビット構成の２次元画像信号Ｓ１１及び奥行き情報Ｓ２１との位相を調整する。例えば、位相調整部２３は、リンクＬａとリンクＬｂの各信号に生じている位相ずれを解消する。
【００５０】
位相ずれを解消する方法には、図３に示すように、ビデオ信号伝送開始(Start  of Active Video：以下ＳＡＶという) を示す、例えば、フラグ（データ又は信号）や、ビデオ信号伝送終了(End of Active Video：以下ＥＡＶという) を示すフラグをリンクＬａとリンクＬｂとでそれぞれ検出する。この検出に基づいて、その信号パターンが揃うように位相を調整する第１の方法がある。第２の方法としては、ＳＡＶフラグとビデオ信号伝送中（Active  Video：以下ＡＶという）を示すフラグとの境界、及び、ＡＶフラグとＥＡＶフラグとの境界を検出し、その信号パターンが揃うように位相を調整する方法が考えられる。どのような手法を用いて位相ずれを解消しても構わない。
【００５１】
位相調整部２３には、デシリアライザ２４及び２５が接続される。リンクＬａ及びリンクＬｂからのシリアル信号であって、位相調整後のシリアル信号は、位相調整部２３からデシリアライザ２４及び２５へ出力される。この例では、各信号の位相が揃っているため、ビットの位相ずれが解消された状態であって、輝度信号Ｙ［９：０］、偶数ピクセルの色差信号Ｃｂ−ｅｖｅｎ［９：０］、偶数ピクセルの色差信号Ｃｒ−ｅｖｅｎ［９：０］、信号ＤＰＴ［９：０］、奇数ピクセルの色差信号Ｃｂ−ｏｄｄ［９：０］、奇数ピクセルの色差信号Ｃｒ−ｏｄｄ［９：０］の各々がシリアル信号から抽出される。
【００５２】
デシリアライザ２４は第１の信号処理部の一例を構成し、位相調整部２３によって位相調整されたリンクＬａからのシリアルビット構成の２次元画像信号Ｓ１１をパラレルビット構成の２次元画像信号Ｓ１１に変換する。例えば、デシリアライザ２４は、リンクＬａからのシリアル信号であって、位相調整後の信号から、輝度信号Ｙ［９：０］、偶数ピクセルの色差信号Ｃｂ−ｅｖｅｎ［９：０］、偶数ピクセルの色差信号Ｃｒ−ｅｖｅｎ［９：０］の各々、ＨＳＹＮＣ信号、ＶＳＹＮＣ信号、ＦＩＥＬＤ信号及びＣＬＯＣＫ信号を抽出して復元する。
【００５３】
デシリアライザ２５は第２の信号処理部の一例を構成し、位相調整部２３によって位相調整されたリンクＬｂからのシリアルビット構成の２次元画像信号Ｓ１１及び奥行き情報Ｓ２１をパラレルビット構成の２次元画像信号Ｓ１１及び奥行き情報Ｓ２１に変換する。例えば、デシリアライザ２５は、リンクＬｂからのシリアル信号であって、位相調整後の信号から、信号ＤＰＴ［９：０］、奇数ピクセルの色差信号Ｃｂ−ｏｄｄ［９：０］、奇数ピクセルの色差信号Ｃｒ−ｏｄｄ［９：０］の各々、ＨＳＹＮＣ信号、ＶＳＹＮＣ信号、ＦＩＥＬＤ信号及びＣＬＯＣＫ信号を抽出して復元する。受信装置２０１で、２次元画像信号Ｓ１１から奥行き情報Ｓ２１を抽出する手法については本発明の本質ではなく、いかなる手法を用いても良い。
【００５４】
デシリアライザ２４及び２５には、信号合成部の一例を構成するＹＣビット合成部２６が接続される。ＹＣビット合成部２６は、デシリアライザ２４から出力されるパラレルビット構成の２次元画像信号Ｓ１１とデシリアライザ２５から出力されるパラレルビット構成の２次元画像信号Ｓ１１とをＹＣビット合成する。例えば、ＹＣビット合成部２６は、輝度信号Ｙ［９：０］、偶数ピクセルの色差信号Ｃｂ−ｅｖｅｎ［９：０］、偶数ピクセルの色差信号Ｃｒ−ｅｖｅｎ［９：０］、奇数ピクセルの色差信号Ｃｂ−ｏｄｄ［９：０］、奇数ピクセルの色差信号Ｃｒ−ｏｄｄ［９：０］の各々をビット合成して、元の輝度信号Ｙ［９：０］、色差信号Ｃｂ［９：０］、色差信号Ｃｒ［９：０］を復元するようになされる。
【００５５】
このように受信装置２０１では、輝度信号Ｙ［９：０］、色差信号Ｃｂ［９：０］、色差信号Ｃｒ［９：０］から２次元画像信号Ｓ１１が生成され、信号ＤＰＴ［９：０］から奥行き情報Ｓ２１が生成されるため、３次元画像信号ＳＲ１に基づく３次元画像を表示できるようになる。
【００５６】
図３Ａ及びＢは、リンクＬａ及びリンクＬｂにおけるシリアル信号の伝送例を示すタイムチャートである。横軸は時間であり、横軸上の六角形はデータパケットを示している。この例で、３次元画像信号ＳＴ１が２０ビット（Ｄ［１９：０］）で表現される場合であって、図１に示した信号伝送部３０のリンクＬａには、輝度信号Ｙ［９：０］、偶数ピクセルの色差信号Ｃｂ−ｅｖｅｎ［９：０］及び偶数ピクセルの色差信号Ｃｒ−ｅｖｅｎ［９：０］が割り振られる。
【００５７】
図３Ａに示すリンクＬａによれば、シリアル信号の上位１０ビット（Ｄ［１９：１０］）には、ＳＡＶ区間として、固定パターン（３ＦＦ  ０００  ０００  ＸＹＺ）が割り当てられる。ＳＡＶ区間に続いてＡＶ区間には、ビデオ信号（２次元画像信号Ｓ１１）として輝度信号Ｙ０［９：０］，Ｙ１［９：０］，Ｙ２［９：０］・・・・Ｙ１９１９［９：０］が割り当てられる。ＡＶ区間に続いてＥＡＶ区間には、固定パターン（３ＦＦ  ０００  ０００  ＸＹＺ）が割り当てられる。
【００５８】
更に、シリアル信号の下位１０ビット（Ｄ［９：０］）には、ＳＡＶ区間として、固定パターン（３ＦＦ  ０００  ０００  ＸＹＺ）が割り当てられる。ＳＡＶ区間に続いてＡＶ区間には、偶数ピクセルの色差信号Ｃｂ０［９：０］，Ｃｒ０［９：０］，Ｃｂ２［９：０］・・・・Ｃｒ１９１８［９：０］が割り当てられる。ＡＶ区間に続いてＥＡＶ区間には、固定パターン（３ＦＦ  ０００  ０００  ＸＹＺ）が割り当てられる。
【００５９】
また、図１に示した信号伝送部３０のリンクＬｂには、奇数ピクセルの色差信号Ｃｂ−ｏｄｄ［９：０］、奇数ピクセルの色差信号Ｃｒ−ｏｄｄ［９：０］及び奥行き情報Ｓ２１の信号ＤＰＴ［９：０］が割り当てられる。
【００６０】
図３Ｂに示すリンクＬｂによれば、シリアル信号の上位１０ビット（Ｄ［１９：１０］）には、リンクＬａと同様にして、ＳＡＶ区間に固定パターン（３ＦＦ  ０００  ０００  ＸＹＺ）が割り当てられる。ＳＡＶ区間に続いてＡＶ区間には、奥行き情報Ｓ２１として信号ＤＰＴ０［９：０］，ＤＰＴ１［９：０］，ＤＰＴ２［９：０］・・・・ＤＰＴ１９１９［９：０］が割り当てられる。ＡＶ区間に続いてＥＡＶ区間には、固定パターン（３ＦＦ  ０００  ０００  ＸＹＺ）が割り当てられる。
【００６１】
更に、シリアル信号の下位１０ビット（Ｄ［９：０］）には、ＳＡＶ区間として、固定パターン（３ＦＦ  ０００  ０００  ＸＹＺ）が割り当てられる。ＳＡＶ区間に続いてＡＶ区間には、奇数ピクセルの色差信号Ｃｂ１［９：０］，Ｃｒ１［９：０］，Ｃｂ３［９：０］・・・・Ｃｒ１９１９［９：０］が割り当てられる。ＡＶ区間に続いてＥＡＶ区間には、固定パターン（３ＦＦ  ０００  ０００  ＸＹＺ）が割り当てられる。
【００６２】
これにより、送信装置１０１から受信装置２０１へリンクＬａを利用して、輝度信号Ｙ［９：０］、偶数ピクセルの色差信号Ｃｂ［９：０］及び偶数ピクセルの色差信号Ｃｒ［９：０］を伝送すること、及び、リンクＬｂを利用して、奇数ピクセルの色差信号Ｃｂ［９：０］、奇数ピクセルの色差信号Ｃｒ［９：０］及び奥行き情報Ｓ２１の信号ＤＰＴ［９：０］を伝送することができる。
【００６３】
続いて、本発明に係る信号伝送方法に関して３次元画像信号伝送システム１００における動作例について説明する。図４は、３次元画像信号伝送システム１００における動作例を示すフローチャートである。この例で、３次元画像信号ＳＴ１から奥行き情報Ｓ２１が取り出され、シリアライザ１３に入力される。奥行き情報Ｓ２１は信号ＤＰＴ［９：０］で与えられ、この奥行き情報Ｓ２１の信号ＤＰＴ［９：０］は、１０ビット幅である。そして、送信装置１０１から受信装置２０１へリンクＬａを利用して、輝度信号Ｙ［９：０］、偶数ピクセルの色差信号Ｃｂ［９：０］及び偶数ピクセルの色差信号Ｃｒ［９：０］を伝送し、リンクＬｂを利用して、奇数ピクセルの色差信号Ｃｂ［９：０］、奇数ピクセルの色差信号Ｃｒ［９：０］及び奥行き情報Ｓ２１の信号ＤＰＴ［９：０］を伝送する場合を前提とする。
【００６４】
これらを動作条件にして、図４に示すフローチャートのステップＴ１で送信装置１０１は、２次元画像信号Ｓ１１と当該２次元画像信号Ｓ１１の奥行き情報Ｓ２１とを含む３次元画像信号ＳＴ１を入力する。奥行き情報Ｓ２１は、３次元画像信号ＳＴ１から取り出されてシリアライザ１３に入力される。
【００６５】
次に、送信装置１０１はステップＴ２で２次元画像信号Ｓ１１を信号分離する。このとき、ＹＣビット分離部１１は、パラレルビット構成の２次元画像信号Ｓ１１をＹＣビット分離する。この例で、ＹＣビット分離部１１は、２次元画像信号Ｓ１１から輝度信号Ｙ［９：０］、偶数ピクセルの色差信号Ｃｂ−ｅｖｅｎ［９：０］、偶数ピクセルの色差信号Ｃｒ−ｅｖｅｎ［９：０］、奇数ピクセルの色差信号Ｃｂ−ｏｄｄ［９：０］、奇数ピクセルの色差信号Ｃｒ−ｏｄｄ［９：０］の各々を取り出すように動作する。ＹＣビット分離部１１によって取り出された奇数ピクセルの色差信号Ｃｂ−ｏｄｄ［９：０］、奇数ピクセルの色差信号Ｃｒ−ｏｄｄ［９：０］の各々は、シリアライザ１３に出力される。
【００６６】
更に、送信装置１０１はステップＴ３で、先に信号分離された一方の２次元画像信号Ｓ１１をリンクＬａに送信すると共に、ステップＴ４で、先に信号分離された他方の２次元画像信号Ｓ１１と奥行き情報Ｓ２１とを多重してリンクＬｂに送信する。このとき、ステップＴ３でシリアライザ１２は、ＹＣビット分離部１１によってＹＣビット分離されたパラレルビット構成の２次元画像信号Ｓ１１をシリアルビット構成の２次元画像信号Ｓ１１に変換してリンクＬａに出力する。図３Ａに示したＬｉｎｋ−Ａによれば、シリアル信号の上位１０ビットのＡＶ区間で、２次元画像信号Ｓ１１として輝度信号Ｙ０［９：０］，Ｙ１［９：０］，Ｙ２［９：０］・・・・Ｙ１９１９［９：０］が伝送される。更に、シリアル信号の下位１０ビットのＡＶ区間で、偶数ピクセルの色差信号Ｃｂ０［９：０］，Ｃｒ０［９：０］，Ｃｂ２［９：０］・・・・Ｃｒ１９１８［９：０］が伝送される。
【００６７】
上述のステップＴ４でシリアライザ１３は、ＹＣビット分離後のパラレルビット構成の２次元画像信号Ｓ１１及びパラレルビット構成の奥行き情報Ｓ２１を多重すると共にシリアルビット構成の２次元画像信号Ｓ１１及び奥行き情報Ｓ２１に変換してリンクＬｂに出力する。図３Ｂに示したＬｉｎｋ−Ｂによれば、シリアル信号の上位１０ビットのＡＶ区間で、奥行き情報Ｓ２１として信号ＤＰＴ０［９：０］，ＤＰＴ１［９：０］，ＤＰＴ２［９：０］・・・・ＤＰＴ１９１９［９：０］が伝送される。更に、シリアル信号の下位１０ビットのＡＶ区間で、奇数ピクセルの色差信号Ｃｂ１［９：０］，Ｃｒ１［９：０］，Ｃｂ３［９：０］・・・・Ｃｒ１９１９［９：０］が伝送される。送信装置１０１は上述の動作を繰り返す。
【００６８】
上述の送信装置１０１の動作を受けて、信号伝送部３０のリンクＬａでは、輝度信号Ｙ［９：０］、偶数ピクセルの色差信号Ｃｂ−ｅｖｅｎ［９：０］、偶数ピクセルの色差信号Ｃｒ−ｅｖｅｎ［９：０］の各々、ＨＳＹＮＣ信号、ＶＳＹＮＣ信号、ＦＩＥＬＤ信号及びＣＬＯＣＫ信号をパラレル・シリアル変換（シリアライズ）したシリアル信号が伝送される。リンクＬｂでは、信号ＤＰＴ［９：０］、奇数ピクセルの色差信号Ｃｂ−ｏｄｄ［９：０］、奇数ピクセルの色差信号Ｃｒ−ｏｄｄ［９：０］の各々、ＨＳＹＮＣ信号、ＶＳＹＮＣ信号、ＦＩＥＬＤ信号及びＣＬＯＣＫ信号をシリアライズした信号が伝送される。このようなデュアルリンク接続のシリアルディジタルインターフェースの一方のリンクＬａで、２次元画像信号Ｓ１１を受信できると共に、他方のリンクＬｂで２次元画像信号Ｓ１１、かつ／または、奥行き情報Ｓ２１を受信できるようになる。
【００６９】
受信装置２０１は、ステップＲ１で、リンクＬａから信号分離された一方の２次元画像信号Ｓ１１を受信すると共に、ステップＲ２で、リンクＬｂから多重された他方の２次元画像信号Ｓ１１及び奥行き情報Ｓ２１を受信する。
【００７０】
更に、ステップＲ３で、位相調整部２３は、リンクＬａから入力ポート２１を介して受信したシリアルビット構成の２次元画像信号Ｓ１１と、リンクＬｂから入力ポート２２を介して受信したシリアルビット構成の２次元画像信号Ｓ１１及び奥行き情報Ｓ２１との位相を調整する。
【００７１】
例えば、位相調整部２３は、リンクＬａとリンクＬｂの各信号に生じている位相ずれを解消する。位相調整部２３では図３で説明したようなＳＡＶフラグや、ＥＡＶフラグをリンクＬａとリンクＬｂとでそれぞれ検出する。この検出に基づいて、その信号パターンが揃うように位相を調整する。又は、位相調整部２３は、ＳＡＶフラグとＡＶフラグとの境界、及び、ＡＶフラグとＥＡＶフラグとの境界を検出し、その信号パターンが揃うように位相を調整するようになされる。位相調整後のシリアル信号は、位相調整部２３からデシリアライザ２４及び２５へ出力される。
【００７２】
その後、受信装置２０１は、ステップＲ４でリンクＬａからのシリアル信号をシリアル・パラレル変換処理をすると共に、ステップＲ５で、リンクＬｂから受信した２次元画像信号Ｓ１１と奥行き情報Ｓ２１とを分離する。この例では、各信号の位相が揃っているため、ビットの位相ずれが解消された状態であって、輝度信号Ｙ［９：０］、偶数ピクセルの色差信号Ｃｂ−ｅｖｅｎ［９：０］、偶数ピクセルの色差信号Ｃｒ−ｅｖｅｎ［９：０］、信号ＤＰＴ［９：０］、奇数ピクセルの色差信号Ｃｂ−ｏｄｄ［９：０］、奇数ピクセルの色差信号Ｃｒ−ｏｄｄ［９：０］の各々が、シリアル信号から抽出される。
【００７３】
例えば、上述のステップＲ４でデシリアライザ２４は、位相調整部２３によって位相調整されたリンクＬａからのシリアルビット構成の２次元画像信号Ｓ１１をパラレルビット構成の２次元画像信号Ｓ１１に変換する。このとき、デシリアライザ２４は、リンクＬａからのシリアル信号であって、位相調整後のシリアル信号から、輝度信号Ｙ［９：０］、偶数ピクセルの色差信号Ｃｂ−ｅｖｅｎ［９：０］、偶数ピクセルの色差信号Ｃｒ−ｅｖｅｎ［９：０］の各々、ＨＳＹＮＣ信号、ＶＳＹＮＣ信号、ＦＩＥＬＤ信号及びＣＬＯＣＫ信号を抽出して復元する。
【００７４】
一方、デシリアライザ２５は、上述のステップＲ５で位相調整部２３によって位相調整されたリンクＬｂからのシリアルビット構成の２次元画像信号Ｓ１１及び奥行き情報Ｓ２１をパラレルビット構成の２次元画像信号Ｓ１１及び奥行き情報Ｓ２１に変換する。このとき、デシリアライザ２５は、リンクＬｂからのシリアル信号であって、位相調整後のシリアル信号から、信号ＤＰＴ［９：０］、奇数ピクセルの色差信号Ｃｂ−ｏｄｄ［９：０］、奇数ピクセルの色差信号Ｃｒ−ｏｄｄ［９：０］の各々、ＨＳＹＮＣ信号、ＶＳＹＮＣ信号、ＦＩＥＬＤ信号及びＣＬＯＣＫ信号を抽出して復元する。
【００７５】
更に、受信装置２０１は、ステップＲ６で、リンクＬａから受信した２次元画像信号Ｓ１１とリンクＬｂから受信した２次元画像信号Ｓ１１とを合成する。このとき、ＹＣビット合成部２６は、デシリアライザ２４から出力されるパラレルビット構成の２次元画像信号Ｓ１１とデシリアライザ２５から出力されるパラレルビット構成の２次元画像信号Ｓ１１とをＹＣビット合成する。
【００７６】
上述した例では、ＹＣビット合成部２６が、輝度信号Ｙ［９：０］、偶数ピクセルの色差信号Ｃｂ−ｅｖｅｎ［９：０］、偶数ピクセルの色差信号Ｃｒ−ｅｖｅｎ［９：０］、奇数ピクセルの色差信号Ｃｂ−ｏｄｄ［９：０］、奇数ピクセルの色差信号Ｃｒ−ｏｄｄ［９：０］の各々をビット合成して、元の輝度信号Ｙ［９：０］、色差信号Ｃｂ［９：０］、色差信号Ｃｒ［９：０］を復元する。このように受信装置２０１では、輝度信号Ｙ［９：０］、色差信号Ｃｂ［９：０］、色差信号Ｃｒ［９：０］から２次元画像信号Ｓ１１が生成され、信号ＤＰＴ［９：０］から奥行き情報Ｓ２１が生成される。
【００７７】
そして、受信装置２０１は、ステップＲ７で、合成後の２次元画像信号Ｓ１１と、分離後の奥行き情報Ｓ２１とを含む３次元画像信号ＳＲ１を出力する。この受信装置２０１を実装した画像表示装置が３次元画像信号ＳＲ１に基づく３次元画像を表示するものであれば、前述のように２次元画像信号Ｓ１１と奥行き情報Ｓ２１を両方受信することにより、ユーザは３次元画像信号ＳＲ１に基づく３次元画像を鑑賞できるようになる。
【００７８】
このように第１の実施形態としての３次元画像信号伝送システム１００及び信号伝送方法によれば、２次元画像信号Ｓ１１と２次元画像信号Ｓ１１の奥行き情報Ｓ２１とを含む３次元画像信号ＳＴ１を伝送する場合に、本発明に係る送信装置１０１及び受信装置２０１が応用されるので、デュアルリンク接続のシリアルディジタルインターフェースの一方のリンクＬａで２次元画像信号Ｓ１１を伝送できると共に、他方のリンクＬｂで２次元画像信号Ｓ１１、かつ／または、奥行き情報Ｓ２１を伝送できるようになる。
【００７９】
これにより、２次元画像信号Ｓ１１の持つ階調度を低下させることなく、従来のデュアルリンク信号伝送系を用いて、２次元画像信号Ｓ１１と２次元画像信号Ｓ１１の奥行き情報Ｓ２１とを含む３次元画像信号ＳＴ１を伝送することができる。
【００８０】
更に、片方のリンクＬａのみが接続可能な画像表示装置であって、２次元画像信号Ｓ１１のみが表示可能な画像表示装置においては、３次元画像信号ＳＴ１を受信した場合であっても、２次元画像信号Ｓ１１の輝度信号Ｙ［９：０］、 偶数ピクセルの色差信号Ｃｂ−ｅｖｅｎ［９：０］、 偶数ピクセルの色差信号Ｃｒ−ｅｖｅｎ［９：０］のみを受信して表示可能となるような３次元画像信号ＳＴ１の伝送システムを構築できるようになる。
【００８１】
例えば、受信装置２０１が入力ポート２１のみを具備している場合であって、リンクＬａの信号のみが受信できる場合である。この場合、受信装置２０１は、輝度信号Ｙ［９：０］、偶数ピクセルの色差信号Ｃｂ−ｅｖｅｎ［９：０］、偶数ピクセルの色差信号Ｃｒ−ｅｖｅｎ［９：０］の各々を受信しており、これら信号はＹＣｂＣｒ４２２方式の１０ビットの色情報を有している。従って、ユーザは水平解像度１９２０ピクセル、垂直解像度１０８０ライン、ＹＣｂＣｒ４２２方式の１０ビットの２次元画像信号Ｓ１１に基づくカラー画像を鑑賞できるようになる。
【００８２】
なお、本実施例では信号ＤＰＴのビット数を１０ビットとしたが、このビット幅は必要十分であればよく、必ずしも、１０ビット幅に限定されるものではない。例えば、信号ＤＰＴのビット幅が８ビットで十分な場合は、リンクＬｂの上位１０ビットＤ［１９：１０］のＭＳＢ側の８ビットを使用して奥行き情報Ｓ２１を割り当てるなど、 一部のビットのみを用いるようにしても良い。
【００８３】
＜第２の実施形態＞
［第２の３次元画像信号伝送システム］  
図５は、本発明に係る第２の実施形態としての３次元画像信号伝送システム２００の構成例（送信装置）、図６は、その構成例（受信装置）を各々示すブロック図である。図５及び図６に示す３次元画像信号伝送システム２００は、信号伝送システムの一例を構成するものであり、第１の実施形態と同様にして、３次元画像表示処理を行うための３次元画像信号を記録再生装置等から画像表示装置へ伝送するものである。
【００８４】
３次元画像信号伝送システム２００は、信号伝送部３０、送信装置１０２及び受信装置２０２から構成される。送信装置１０２と受信装置２０２とは、第１の実施形態と同様にして信号伝送部３０によって接続される。信号伝送部３０は、リンクＬａ，Ｌｂを有してデュアルリンク信号伝送系を構成する。リンクＬａ及びリンクＬｂには、輝度信号Ｙ［１１：０］、色差信号Ｃｂ［１１：０］、色差信号Ｃｒ［１１：０］及び奥行き情報Ｓ２３の信号ＤＰＴ［１１：０］が割り振られる。
【００８５】
送信装置１０２は、第１の実施形態と同様にして、記録再生装置等の信号出力段に設けられ、ＹＣビット分離部１１、シリアライザ１２，１３及びＭＵＸビット生成部１４を有して構成される。送信装置１０２も、２系統の信号伝送部３０に接続された受信装置２０２に、ＹＣｂＣｒ４４４方式の２次元画像信号Ｓ１２と当該２次元画像信号Ｓ１２の奥行き情報Ｓ２２とを含む３次元画像信号ＳＴ２を伝送する。
【００８６】
このＹＣｂＣｒ４４４方式の２次元画像信号Ｓ１２によれば、水平解像度が１９２０ピクセルで、垂直解像度が１０８０ラインとなる画像表示装置に対応して１２ビットのデータフォーマットで与えられる［Pixel Size:  1920×1080,  Color Space:  YCbCr444  12bit，  image  Format：  2D  image＋Depth，  Format  Rate:  30，29.97，25,  24,  23.98  progressive  and  Psf，:  60,  59.94  50  fields  Interlace］。
【００８７】
奥行き情報Ｓ２２によれば、水平解像度が１９２０ピクセルで、垂直解像度が１０８０ラインとなる画像表示装置に対応して１２ビットのデータフォーマットで与えられる。
【００８８】
ＹＣビット分離部１１は、信号分離部の一例を構成し、記録再生装置等から与えられるパラレルビット構成の２次元画像信号Ｓ１２を入力してＹＣビット分離する。この例で、２次元画像信号Ｓ１２等を構成する輝度信号Ｙ、色差信号Ｃｂ及び色差信号Ｃｒや、奥行き情報Ｓ２２を構成する信号ＤＰＴ等の後に付与される数字は、各ラインにおけるピクセル番号を示すものとする。
【００８９】
例えば、送信装置１０２に３次元画像信号ＳＴ２が入力されると、ＹＣビット分離部１１は、２次元画像信号Ｓ１２から、輝度信号Ｙ［１１：２］、偶数ピクセルの色差信号Ｃｂ−ｅｖｅｎ［１１：２］、偶数ピクセルの色差信号Ｃｒ−ｅｖｅｎ［１１：２］と、奇数ピクセルの色差信号Ｃｂ−ｏｄｄ［１１：２］、奇数ピクセルの色差信号Ｃｒ−ｏｄｄ［１１：２］と、輝度信号Ｙ［１：０］、偶数ピクセルと奇数ピクセルそれぞれの色差信号Ｃｂ［１：０］、色差信号Ｃｒ［１：０］の各々を取り出すように動作する。
【００９０】
ＹＣビット分離部１１によって取り出された輝度信号Ｙ［１１：２］、偶数ピクセルの色差信号Ｃｂ−ｅｖｅｎ［１１：２］、偶数ピクセルの色差信号Ｃｒ−ｅｖｅｎ［１１：２］は、シリアライザ１２に出力される。ＹＣビット分離部１１によって取り出された奇数ピクセルの色差信号Ｃｂ−ｏｄｄ［１１：２］、奇数ピクセルの色差信号Ｃｒ−ｏｄｄ［１１：２］は、シリアライザ１３に出力される。ＹＣビット分離部１１によって取り出された輝度信号Ｙ［１：０］、偶数ピクセルと奇数ピクセルそれぞれの色差信号Ｃｂ［１：０］、偶数ピクセルと奇数ピクセルそれぞれの色差信号Ｃｒ［１：０］は、ＭＵＸビット生成部１４に出力される。
【００９１】
ＭＵＸビット生成部１４は、ビット生成部の一例を構成し、ＹＣビット分離部１１によってＹＣビット分離されたパラレルビット構成の２次元画像信号Ｓ１２に当該２次元画像信号Ｓ１２の奥行き情報Ｓ２２を多重するようになされる。ＭＵＸビット生成部１４では多重ビットＭＵＸ［９：０］が設けられ、多重ビットＭＵＸ［９：０］内には、予約（以下Ｒｅｓｅｒｖｅという）領域が設けられる（図８Ｂ参照）。
【００９２】
この例で、３次元画像信号ＳＴ２から奥行き情報Ｓ２２が取り出され、奇数ピクセルの色差信号Ｃｂ−ｏｄｄ［１１：２］及び、奇数ピクセルの色差信号Ｃｒ−ｏｄｄ［１１：２］と共にシリアライザ１３に入力される。奥行き情報Ｓ２２は信号ＤＰＴ［１１：０］で与えられ、この奥行き情報Ｓ２２の信号ＤＰＴ［１１：０］は、１２ビット幅であり、例えば、最も奥側が「０」で、最も手前側が「４０９６」のように表現されるものである。送信側で、３次元画像信号ＳＴ２から奥行き情報Ｓ２２を抽出する手法については本発明の本質ではなく、いかなる手法を用いても良い。
【００９３】
ＹＣビット分離部１１には、シリアライザ１２及びシリアライザ１３が接続される。シリアライザ１２は、ＹＣビット分離部１１によってＹＣビット分離されたパラレルビット構成の２次元画像信号Ｓ１２をシリアルビット構成の２次元画像信号Ｓ１２に変換してリンクＬａに出力する。シリアライザ１２はシリアルディジタルインターフェースを構成し、その出力端がリンクＬａに接続される。この例で、信号伝送部３０のリンクＬａとリンクＬｂには、輝度信号Ｙ［１１：２］、色差信号Ｃｂ［１１：２］、色差信号Ｃｒ［１１：２］が割り振られる（図７参照）。
【００９４】
シリアライザ１３は、ＹＣビット分離後のパラレルビット構成の２次元画像信号Ｓ１２及びパラレルビット構成の奥行き情報Ｓ２２をシリアルビット構成の２次元画像信号Ｓ１２及び奥行き情報Ｓ２２に変換してリンクＬｂに出力する。シリアライザ１３はシリアルディジタルインターフェースを構成し、その出力端がリンクＬａに接続される。リンクＬｂには、奥行き情報Ｓ２１の信号ＤＰＴ［１１：０］が割り当てられる（図７参照）。
【００９５】
上述のシリアライザ１２やシリアライザ１３等は、シリアルビット構成の２次元画像信号Ｓ１２又は及び奥行き情報Ｓ２２に、伝送先の電子機器、例えば、画像表示装置を制御するための制御信号Ｓｃを多重する。この例でも、ＨＳＹＮＣ信号、ＶＳＹＮＣ信号、ＦＩＥＬＤ信号及びＣＬＯＣＫ信号等の制御信号Ｓｃが重畳される。ＨＳＹＮＣ信号、ＶＳＹＮＣ信号、ＦＩＥＬＤ信号及びＣＬＯＣＫ信号は、２次元画像信号Ｓ１２と奥行き情報Ｓ２２とで共通している。信号伝送部３０は、有線方式でも無線方式でも、どちらでもよい。
【００９６】
このように、送信装置１０２によれば、２系統のリンクＬａ，Ｌｂを有する信号伝送部３０に接続された受信装置２０２に、２次元画像信号Ｓ１２と当該２次元画像信号Ｓ１２の奥行き情報Ｓ２２とを含む３次元画像信号ＳＴ２を伝送する場合に、デュアルリンク接続のシリアルディジタルインターフェースの一方のリンクＬａで２次元画像信号Ｓ１２を伝送できるようになると共に、他方のリンクＬｂで２次元画像信号Ｓ１２、かつ／または、奥行き情報Ｓ２２を伝送できるようになる。
【００９７】
この例で、信号伝送部３０のリンクＬａは、輝度信号Ｙ［１１：２］、偶数ピクセルの色差信号Ｃｂ−ｅｖｅｎ［１１：２］、偶数ピクセルの色差信号Ｃｒ−ｅｖｅｎ［１１：２］の各々、ＨＳＹＮＣ信号、ＶＳＹＮＣ信号、ＦＩＥＬＤ信号及びＣＬＯＣＫ信号をシリアライズしたシリアル信号が伝送される。リンクＬｂでは、多重ビットＭＵＸ［１１：２］、奇数ピクセルの色差信号Ｃｂ−ｏｄｄ［１１：２］、奇数ピクセルの色差信号Ｃｒ−ｏｄｄ［１１：２］の各々、ＨＳＹＮＣ信号、ＶＳＹＮＣ信号、ＦＩＥＬＤ信号及びＣＬＯＣＫ信号をシリアライズしたシリアル信号が伝送される。
【００９８】
図６に示す受信装置２０２は、２系統のリンクＬａ，Ｌｂを有する信号伝送部３０に接続された送信装置１０２から２次元画像信号Ｓ１２と当該２次元画像信号Ｓ１２の奥行き情報Ｓ２２とを含む３次元画像信号ＳＴ２を受信するものである。受信装置２０２は、入力ポート２１，２２、位相調整部２３、デシリアライザ２４，２５、ＹＣビット合成部２６及びＭＵＸビット分解部２７を有して構成される。３次元画像信号ＳＴ２は、２次元画像信号Ｓ１２と当該２次元画像信号Ｓ１２の奥行き情報Ｓ２２とを含むものとする。
【００９９】
入力ポート２１は、一端が信号伝送部３０のリンクＬａに接続され、他端が位相調整部２３に接続され、リンクＬａから、Ｙビット分離された一方の２次元画像信号Ｓ１２を受信する。入力ポート２２は、一端が信号伝送部３０のリンクＬｂに接続され、他端が位相調整部２３に接続され、リンクＬｂから多重された他方の２次元画像信号Ｓ１２及び奥行き情報Ｓ２２を受信する。
【０１００】
位相調整部２３は、リンクＬａから受信したシリアルビット構成の２次元画像信号Ｓ１２と、リンクＬｂから受信したシリアルビット構成の２次元画像信号Ｓ１２及び奥行き情報Ｓ２２との位相を調整する。例えば、位相調整部２３は、リンクＬａとリンクＬｂの各信号に生じている位相ずれを解消する。位相ずれを解消する方法については、第１の実施形態で説明した通りである。
【０１０１】
位相調整部２３には、デシリアライザ２４及び２５が接続される。リンクＬａ及びリンクＬｂからのシリアル信号であって、位相調整後のシリアル信号は、位相調整部２３からデシリアライザ２４及び２５へ出力される。この例では、各信号の位相が揃っているため、ビットの位相ずれが解消された状態であって、輝度信号Ｙ［１１：２］、偶数ピクセルの色差信号Ｃｂ−ｅｖｅｎ［１１：２］、偶数ピクセルの色差信号Ｃｒ−ｅｖｅｎ［１１：２］、奥行き情報Ｓ２２の信号ＤＰＴ［１１：０］、奇数ピクセルの色差信号Ｃｂ−ｏｄｄ［１１：２］、奇数ピクセルの色差信号Ｃｒ−ｏｄｄ［１１：２］の各々がシリアル信号から抽出される。
【０１０２】
デシリアライザ２４は、位相調整部２３によって位相調整されたリンクＬａからのシリアルビット構成の２次元画像信号Ｓ１２をパラレルビット構成の２次元画像信号Ｓ１２に変換する。例えば、デシリアライザ２４は、リンクＬａからのシリアル信号であって、位相調整後のシリアル信号から、輝度信号Ｙ［１１：２］、偶数ピクセルの色差信号Ｃｂ−ｅｖｅｎ［１１：２］、偶数ピクセルの色差信号Ｃｒ−ｅｖｅｎ［１１：２］の各々、ＨＳＹＮＣ信号、ＶＳＹＮＣ信号、ＦＩＥＬＤ信号及びＣＬＯＣＫ信号を抽出して復元する。
【０１０３】
デシリアライザ２５は第２の信号処理部の一例を構成し、位相調整部２３によって位相調整されたリンクＬｂからのシリアルビット構成の２次元画像信号Ｓ１２及び奥行き情報Ｓ２２をパラレルビット構成の２次元画像信号Ｓ１２及び奥行き情報Ｓ２２に変換する。
【０１０４】
例えば、デシリアライザ２５は、リンクＬｂからのシリアル信号であって、位相調整後のシリアル信号から、多重ビットＭＵＸ［９：０］、奇数ピクセルの色差信号Ｃｂ−ｏｄｄ［１１：２］、奇数ピクセルの色差信号Ｃｒ−ｏｄｄ［１１：２］の各々、ＨＳＹＮＣ信号、ＶＳＹＮＣ信号、ＦＩＥＬＤ信号及びＣＬＯＣＫ信号を抽出して復元する。受信装置２０２で、２次元画像信号Ｓ１２から奥行き情報Ｓ２２を抽出する手法については本発明の本質ではなく、いかなる手法を用いても良い。
【０１０５】
デシリアライザ２５には、ビット分解部の一例を構成するＭＵＸビット分解部２７が接続され、デシリアライザ２５から出力されるパラレルビット構成の２次元画像信号Ｓ１２と奥行き情報Ｓ２２とを信号分解するようになされる。例えば、ＭＵＸビット分解部２７は、ＭＵＸ［９：０］のシリアル信号を分解し、分解したシリアル信号から、パリティビット、輝度信号Ｙ［１：０］、偶数ピクセルと奇数ピクセルそれぞれの色差信号Ｃｂ［１：０］、偶数ピクセルと奇数ピクセルそれぞれの色差信号Ｃｒ［１：０］、奥行き情報Ｓ２２を構成するビットが抽出される。
【０１０６】
デシリアライザ２４及びＭＵＸビット分解部２７には、信号合成部の一例を構成するＹＣビット合成部２６が接続される。ＹＣビット合成部２６は、デシリアライザ２４から出力されるパラレルビット構成の２次元画像信号Ｓ１２と、ＭＵＸビット分解部２７から出力されるパラレルビット構成の２次元画像信号Ｓ１２とをＹＣビット合成する。例えば、ＹＣビット合成部２６は、輝度信号Ｙ［１１：２］、偶数ピクセルの色差信号Ｃｂ−ｅｖｅｎ［１１：２］、偶数ピクセルの色差信号Ｃｒ−ｅｖｅｎ［１１：２］、奇数ピクセルの色差信号Ｃｂ−ｏｄｄ［１１：２］、奇数ピクセルの色差信号Ｃｒ−ｏｄｄ［１１：２］、輝度信号Ｙ［１：０］、偶数ピクセルと奇数ピクセルそれぞれの色差信号Ｃｂ［１：０］及び偶数ピクセルと奇数ピクセルそれぞれの色差信号Ｃｒ［１：０］の各々をビット合成して、元の輝度信号Ｙ［１１：０］、色差信号Ｃｂ［１１：０］、色差信号Ｃｒ［１１：０］を復元するようになされる。
【０１０７】
この復元によって、輝度信号Ｙ［１１：０］、色差信号Ｃｂ［１１：０］、色差信号Ｃｒ［１１：０］から２次元画像信号Ｓ１２が、信号ＤＰＴ［１１：０］から奥行き情報Ｓ２２が生成されるため、３次元画像信号ＳＲ２に基づく３次元画像を表示できるようになる。当該受信装置２０２が３次元画像信号ＳＲ２を表示できる場合は、前述のように２次元画像信号Ｓ１２と奥行き情報Ｓ２２を両方受信することにより、ユーザは３次元画像信号ＳＲ２を鑑賞できるようになる。
【０１０８】
図７、図８Ａ及びＢは、３次元画像信号伝送システム２００のリンクＬａ及びリンクＬｂにおけるシリアル信号の伝送例（その１、２）を示すタイムチャートである。横軸は時間であり、横軸上の六角形はデータパケットを示している。この例でも、３次元画像信号ＳＴ２が２０ビット（Ｄ［１９：０］）で表現される場合であって、図５及び図６に示した信号伝送部３０のリンクＬａには、輝度信号Ｙ［１１：２］、偶数ピクセルの色差信号Ｃｂ［１１：２］及び偶数ピクセルの色差信号Ｃｒ［１１：２］が割り振られる。
【０１０９】
図７に示すリンクＬａによれば、シリアル信号の上位１０ビット（Ｄ［１９：１０］）には、ＳＡＶ区間には固定パターン（３ＦＦ  ０００  ０００  ＸＹＺ）が割り当てられる。ＳＡＶ区間に続いてＡＶ区間には、輝度信号Ｙ０［１１：２］，Ｙ１［１１：２］，Ｙ２［１１：２］・・・・Ｙ１９１９［９：０］が割り当てられる。ＡＶ区間に続いてＥＡＶ区間には固定パターン（３ＦＦ  ０００  ０００  ＸＹＺ）が割り当てられる。
【０１１０】
更に、シリアル信号の下位１０ビット（Ｄ［９：０］）において、ＳＡＶ区間には固定パターン（３ＦＦ  ０００  ０００  ＸＹＺ）が割り当てられる。ＳＡＶ区間に続いてＡＶ区間には、偶数ピクセルの色差信号Ｃｂ０［１１：２］，Ｃｒ０［１１：２］，Ｃｂ２［１１：２］・・・・Ｃｒ１９１８［１１：２］が割り当てられる。ＡＶ区間に続いてＥＡＶ区間には固定パターン（３ＦＦ  ０００  ０００  ＸＹＺ）が割り当てられる。
【０１１１】
また、図５及び図６に示した信号伝送部３０のリンクＬｂには、奇数ピクセルの色差信号Ｃｂ［１１：２］、奇数ピクセルの色差信号Ｃｒ［１１：２］と、 輝度信号Ｙ［１：０］、偶数ピクセルと奇数ピクセルそれぞれの色差信号Ｃｂ［１：０］、偶数ピクセルと奇数ピクセルそれぞれの色差信号Ｃｒ［１：０］及び奥行き情報Ｓ２２の信号ＤＰＴ［１１：０］が割り当てられる。
【０１１２】
図８Ａに示すリンクＬｂによれば、シリアル信号の上位１０ビット（Ｄ［１９：１０］）には、リンクＬａと同様にして、ＳＡＶ区間には、固定パターン（３ＦＦ  ０００  ０００  ＸＹＺ）が割り当てられる。ここで、多重ビットをＭＵＸ［９：０］とすると、ＳＡＶ区間に続いてＡＶ区間には、輝度信号Ｙ、色差信号Ｃｂ、色差信号Ｃｒ及び奥行き情報Ｓ２２を成す多重ビットとしてＭＵＸ０［９：０］，ＭＵＸ１［９：０］，ＭＵＸ２［９：０］・・・・ＭＵＸ１９１９［９：０］が割り当てられる。ＡＶ区間に続いてＥＡＶ区間には、固定パターン（３ＦＦ  ０００  ０００  ＸＹＺ）が割り当てられる。
【０１１３】
更に、シリアル信号の下位１０ビット（Ｄ［９：０］）において、ＳＡＶ区間には、固定パターン（３ＦＦ  ０００  ０００  ＸＹＺ）が割り当てられる。ＳＡＶ区間に続いてＡＶ区間には、奇数ピクセルの色差信号Ｃｂ１［１１：２］，Ｃｒ１［１１：２］，Ｃｂ３［１１：２］・・・・Ｃｒ１９１９［１１：２］が割り当てられる。ＡＶ区間に続いてＥＡＶ区間には、固定パターン（３ＦＦ  ０００  ０００  ＸＹＺ）が割り当てられる。
【０１１４】
図８Ｂに示す多重ビットＭＵＸ［９：０］には、ＭＳＢ側から上位２ビットがパリティビット、これに続く下位２ビットに輝度信号Ｙ［１］，［０］、更に続く下位２ビットに色差信号Ｃｂ［１］，［０］、更に続く下位２ビットに色差信号Ｃｒ［１］，［０］が各々割り当てられ、ＬＳＢ側の最下位２ビットにはＲｅｓｅｒｖｅ領域が割り当てられる。Ｒｅｓｅｒｖｅ領域には、奥行き情報Ｓ２２の信号ＤＰＴ［１１：０］が割り当てられる。
【０１１５】
この例では、多重ビットＭＵＸ［９：０］には、１ピクセル毎に２ビットのＲｅｓｅｒｖｅ領域が発生するので、この部分を奥行き情報Ｓ２２に割り当てることができる。奥行き情報Ｓ２２の信号ＤＰＴ［１１：０］のうちの必要なビットは、Ｒｅｓｅｒｖｅ領域の２ビット単独に割り当てるようにするか、もしくは、複数ピクセル分を組み合わせた多ビット（例えば、４ピクセル分の計８ビット）に割り当てるようにすれば良い。このように、Ｒｅｓｅｒｖｅ領域に対するビット割り当て方法に合わせて、奥行き情報Ｓ２２の信号ＤＰＴ［１１：０］をＲｅｓｅｒｖｅ領域に割り当てることで、Ｌｉｎｋ−Ｂに奥行き情報Ｓ２２を重畳できるようになる。
【０１１６】
これにより、送信装置１０２から受信装置２０２へリンクＬａを利用して、輝度信号Ｙ［１１：２］、偶数ピクセルの色差信号Ｃｂ［１１：２］及び偶数ピクセルの色差信号Ｃｒ［１１：２］を伝送すること、及び、リンクＬｂを利用して、奇数ピクセルの色差信号Ｃｂ［１１：２］、奇数ピクセルの色差信号Ｃｒ［１１：２］、輝度信号Ｙ［１：０］、偶数ピクセルと奇数ピクセルそれぞれの色差信号Ｃｂ［１：０］、偶数ピクセルと奇数ピクセルそれぞれの色差信号Ｃｒ［１：０］及び奥行き情報Ｓ２２の信号ＤＰＴ［１１：０］を伝送することができる。
【０１１７】
このように第２の実施形態としての３次元画像信号伝送システム２００及び信号伝送方法によれば、２次元画像信号Ｓ１２と２次元画像信号Ｓ１２の奥行き情報Ｓ２２とを含む３次元画像信号ＳＴ２を伝送する場合に、本発明に係る送信装置１０２及び受信装置２０２が応用されるので、デュアルリンク接続のシリアルディジタルインターフェースの一方のリンクＬａで２次元画像信号Ｓ１２を伝送できると共に、他方のリンクＬｂで２次元画像信号Ｓ１２、かつ／または、奥行き情報Ｓ２２を伝送できるようになる。
【０１１８】
これにより、２次元画像信号Ｓ１２の持つ階調度を低下させることなく、従来のデュアルリンク信号伝送系を用いて、２次元画像信号Ｓ１２と２次元画像信号Ｓ１２の奥行き情報Ｓ２２とを含む３次元画像信号ＳＴ２を伝送することができる。
【０１１９】
更に、片方のリンクＬａ又はＬｂのみが接続可能な画像表示装置であって、２次元画像信号Ｓ１２のみが表示可能な画像表示装置においては、３次元画像信号ＳＴ２を受信した場合であっても、２次元画像信号Ｓ１２のみを受信して表示可能となるような３次元画像信号ＳＴ２の伝送システムを構築できるようになる。
【０１２０】
例えば、受信装置２０２が入力ポート２１のみを具備している場合であって、リンクＬａの信号のみが受信できる場合である。この場合、受信装置２０２は、輝度信号Ｙ［１１：２］、色差信号Ｃｂ−ｅｖｅｎ［１１：２］、色差信号Ｃｒ−ｅｖｅｎ［１１：２］の各々を受信しており、これら信号はＹＣｂＣｒ４２２方式の１０ビットの色情報を有している。従って、ユーザは水平解像度１９２０ピクセル、垂直解像度１０８０ライン、ＹＣｂＣｒ４２２方式の１０ビットの２次元画像信号Ｓ１２に基づくカラー画像を鑑賞できるようになる。
【０１２１】
なお、先に述べた通り、奥行き情報Ｓ２２の信号ＤＰＴ［１１：０］は、１２ビット幅であり、例えば、最も奥側が「０」で最も手前側が「４０９６」のように表現されるものとする。但し、このビット幅は必要十分であればよく、必ずしも、１２ビット幅に限定されるものではない。例えば、信号ＤＰＴのビット幅が８ビットで十分な場合は、リンクＬｂの上位１０ビットＤ［１９：１０］の多重ビットＭＵＸ［９：０］のＭＳＢ側の８ビットを使用して奥行き情報Ｓ２２を割り当てるなど、一部のビットのみを用いるようにしても良い。
【０１２２】
＜第３の実施形態＞
［第３の３次元画像信号伝送システム］  
図９は、本発明に係る第３の実施形態としての３次元画像信号伝送システム３００の構成例（送信装置）、図１０は、その構成例（受信装置）を各々示すブロック図である。図９及び図１０に示す３次元画像信号伝送システム３００は、信号伝送システムの一例を構成するものであり、第１及び第２の実施形態と同様にして、３次元画像表示処理を行うための３次元画像信号を記録再生装置等から画像表示装置へ伝送するものである。
【０１２３】
３次元画像信号伝送システム３００は、信号伝送部３０、送信装置１０３及び受信装置２０３から構成される。送信装置１０３と受信装置２０３とは、第１及び第２の実施形態と同様にして信号伝送部３０によって接続される。信号伝送部３０は、リンクＬａ，Ｌｂを有してデュアルリンク信号伝送系を構成する。リンクＬａ及びリンクＬｂには、輝度信号Ｙ［１１：０］、色差信号Ｃｂ［１１：０］、色差信号Ｃｒ［１１：０］及び奥行き情報Ｓ２３の信号ＤＰＴ［１１：０］が割り振られる。
【０１２４】
送信装置１０３は、第１及び第２の実施形態と同様にして、記録再生装置等の信号出力段に設けられ、ＹＣビット分離部１１、シリアライザ１２，１３及びＭＵＸビット生成部１４を有して構成される。送信装置１０３も、２系統の信号伝送部３０に接続された受信装置２０３に、ＹＣｂＣｒ４２２方式の２次元画像信号Ｓ１３と当該２次元画像信号Ｓ１３の奥行き情報Ｓ２３とを含む３次元画像信号ＳＴ３を伝送する。
【０１２５】
このＹＣｂＣｒ４２２方式の２次元画像信号Ｓ１３によれば、水平解像度が１９２０ピクセルで、垂直解像度が１０８０ラインとなる画像表示装置に対応して１２ビットのデータフォーマットで与えられる［Pixel Size:  1920×1080,  Color Space:  YCbCr422  12bit，  image  Format：  2D  image＋Depth，  Format  Rate:  30，29.97，25,  24,  23.98  progressive  and  Psf，:  60,  59.94  50  fields  Interlace］。
【０１２６】
奥行き情報Ｓ２３によれば、水平解像度が１９２０ピクセルで、垂直解像度が１０８０ラインとなる画像表示装置に対応して、１２ビットのデータフォーマットで与えられる。
【０１２７】
ＹＣビット分離部１１は、信号分離部の一例を構成し、記録再生装置等から与えられるパラレルビット構成の２次元画像信号Ｓ１３を入力してＹＣビット分離する。この例で、２次元画像信号Ｓ１３等を構成する輝度信号Ｙ、色差信号Ｃｂ及び色差信号Ｃｒや、奥行き情報Ｓ２３を構成する信号ＤＰＴ等の後に付与される数字は、各ラインにおけるピクセル番号を示すものとする。
【０１２８】
例えば、送信装置１０３に３次元画像信号ＳＴ３が入力されると、ＹＣビット分離部１１は、２次元画像信号Ｓ１３から、輝度信号Ｙ［１１：２］、偶数ピクセルの色差信号Ｃｂ−ｅｖｅｎ［１１：２］、偶数ピクセルの色差信号Ｃｒ−ｅｖｅｎ［１１：２］と、輝度信号Ｙ［１：０］、偶数ピクセルの色差信号Ｃｂ−ｅｖｅｎ［１：０］、偶数ピクセルの色差信号Ｃｒ−ｅｖｅｎ［１：０］の各々を取り出すように動作する。
【０１２９】
ＹＣビット分離部１１によって取り出された輝度信号Ｙ［１１：２］、偶数ピクセルの色差信号Ｃｂ−ｅｖｅｎ［１１：２］、偶数ピクセルの色差信号Ｃｒ−ｅｖｅｎ［１１：２］は、シリアライザ１２に出力される。ＹＣビット分離部１１によって取り出された輝度信号Ｙ［１：０］、偶数ピクセルの色差信号Ｃｂ−ｅｖｅｎ［１：０］、偶数ピクセルの色差信号Ｃｒ−ｅｖｅｎ［１：０］は、ＭＵＸビット生成部１４に出力される。
【０１３０】
ＭＵＸビット生成部１４は、ビット生成部の一例を構成し、ＹＣビット分離部１１によってＹＣビット分離されたパラレルビット構成の２次元画像信号Ｓ１３の奇数ピクセル又は及び偶数ピクセルに対して信号多重のための予約ビットを生成する。ＭＵＸビット生成部１４では多重ビットＭＵＸ［９：０］が設けられ、多重ビットＭＵＸ［９：０］内には、予約（以下Ｒｅｓｅｒｖｅという）領域が設けられる（図１２Ａ, Ｂ及びＣ参照）。
【０１３１】
この例で、３次元画像信号ＳＴ３から奥行き情報Ｓ２３が取り出され、奥行き情報Ｓ２３は信号ＤＰＴ［１１：０］で与えられ、この奥行き情報Ｓ２３の信号ＤＰＴ［１１：０］は、１２ビット幅であり、例えば、最も奥側が「０」で、最も手前側が「４０９６」のように表現されるものである。送信側で、３次元画像信号ＳＴ３から奥行き情報Ｓ２３を抽出する手法については本発明の本質ではなく、いかなる手法を用いても良い。
【０１３２】
ＹＣビット分離部１１には、シリアライザ１２及びＭＵＸビット生成部１４が接続される。シリアライザ１２は、ＹＣビット分離部１１によってＹＣビット分離されたパラレルビット構成の２次元画像信号Ｓ１３をシリアルビット構成の２次元画像信号Ｓ１３に変換してリンクＬａに出力する。シリアライザ１２はシリアルディジタルインターフェースを構成し、その出力端がリンクＬａに接続される。この例で、信号伝送部３０のリンクＬａには、輝度信号Ｙ［１１：２］、偶数ピクセルの色差信号Ｃｂ−ｅｖｅｎ［１１：２］、偶数ピクセルの色差信号Ｃｒ−ｅｖｅｎ［１１：２］が割り振られる（図９参照）。
【０１３３】
シリアライザ１３は、ＹＣビット分離後のパラレルビット構成の２次元画像信号Ｓ１３及びパラレルビット構成の奥行き情報Ｓ２３をシリアルビット構成の２次元画像信号Ｓ１３及び奥行き情報Ｓ２３に変換してリンクＬｂに出力する。シリアライザ１３はシリアルディジタルインターフェースを構成し、その出力端がリンクＬｂに接続される。リンクＬｂには、例えば、奥行き情報Ｓ２３の信号ＤＰＴ［１１：０］が割り当てられる。
【０１３４】
上述のシリアライザ１２やシリアライザ１３等は、シリアルビット構成の２次元画像信号Ｓ１３又は及び奥行き情報Ｓ２３に、伝送先の電子機器、例えば、画像表示装置を制御するための制御信号Ｓｃを多重する。この例でも、ＨＳＹＮＣ信号、ＶＳＹＮＣ信号、ＦＩＥＬＤ信号及びＣＬＯＣＫ信号等の制御信号Ｓｃが重畳される。ＨＳＹＮＣ信号、ＶＳＹＮＣ信号、ＦＩＥＬＤ信号及びＣＬＯＣＫ信号は、２次元画像信号Ｓ１３と奥行き情報Ｓ２３とで共通している。信号伝送部３０は、有線方式でも無線方式でも、どちらでもよい。
【０１３５】
このように、送信装置１０３によれば、２系統のリンクＬａ，Ｌｂを有する信号伝送部３０に接続された受信装置２０３に、２次元画像信号Ｓ１３と当該２次元画像信号Ｓ１３の奥行き情報Ｓ２３とを含む３次元画像信号ＳＴ３を伝送する場合に、デュアルリンク接続のシリアルディジタルインターフェースの一方のリンクＬａで２次元画像信号Ｓ１３を伝送できるようになると共に、他方のリンクＬｂで２次元画像信号Ｓ１３、かつ／または、奥行き情報Ｓ２３を伝送できるようになる。
【０１３６】
この例で、信号伝送部３０のリンクＬａは、輝度信号Ｙ［１１：２］、偶数ピクセルの色差信号Ｃｂ−ｅｖｅｎ［１１：２］、偶数ピクセルの色差信号Ｃｒ−ｅｖｅｎ［１１：２］の各々、ＨＳＹＮＣ信号、ＶＳＹＮＣ信号、ＦＩＥＬＤ信号及びＣＬＯＣＫ信号をシリアライズしたシリアル信号が伝送される。リンクＬｂでは、輝度信号Ｙ［１：０］、 偶数ピクセルの色差信号Ｃｂ−ｅｖｅｎ［１：０］、偶数ピクセルの色差信号Ｃｒ−ｅｖｅｎ［１：０］の各々などを多重した多重ビットＭＵＸ［９：０］、奥行き情報Ｓ２３の信号ＤＰＴ［１１：０］、ＨＳＹＮＣ信号、ＶＳＹＮＣ信号、ＦＩＥＬＤ信号及びＣＬＯＣＫ信号をシリアライズしたシリアル信号が伝送される。
【０１３７】
図１０に示す受信装置２０３は、２系統のリンクＬａ，Ｌｂを有する信号伝送部３０に接続された送信装置１０３から２次元画像信号Ｓ１３と当該２次元画像信号Ｓ１３の奥行き情報Ｓ２３とを含む３次元画像信号ＳＴ３を受信するものである。受信装置２０３は、入力ポート２１，２２、位相調整部２３、デシリアライザ２４，２５、ＹＣビット合成部２６及びＭＵＸビット分解部２７を有して構成される。３次元画像信号ＳＴ３は、２次元画像信号Ｓ１３と当該２次元画像信号Ｓ１３の奥行き情報Ｓ２３とを含むものとする。
【０１３８】
入力ポート２１は、一端が信号伝送部３０のリンクＬａに接続され、他端が位相調整部２３に接続され、リンクＬａから、Ｙビット分離された一方の２次元画像信号Ｓ１３を受信する。入力ポート２２は、一端が信号伝送部３０のリンクＬｂに接続され、他端が位相調整部２３に接続され、リンクＬｂから多重された他方の２次元画像信号Ｓ１３及び奥行き情報Ｓ２３を受信する。
【０１３９】
位相調整部２３は、リンクＬａから受信したシリアルビット構成の２次元画像信号Ｓ１３と、リンクＬｂから受信したシリアルビット構成の２次元画像信号Ｓ１３及び奥行き情報Ｓ２３との位相を調整する。例えば、位相調整部２３は、リンクＬａとリンクＬｂの各信号に生じている位相ずれを解消する。位相ずれを解消する方法については、第１及び第２の実施形態で説明した通りである。
【０１４０】
位相調整部２３には、デシリアライザ２４及び２５が接続される。リンクＬａ及びリンクＬｂからのシリアル信号であって、位相調整後のシリアル信号は、位相調整部２３からデシリアライザ２４及び２５へ出力される。この例では、各信号の位相が揃っているため、ビットの位相ずれが解消された状態であって、輝度信号Ｙ［１１：２］、偶数ピクセルの色差信号Ｃｂ−ｅｖｅｎ［１１：２］、偶数ピクセルの色差信号Ｃｒ−ｅｖｅｎ［１１：２］、奥行き情報Ｓ２３の信号ＤＰＴ［１１：０］、輝度信号Ｙ［１：０］、 偶数ピクセルの色差信号Ｃｂ−ｅｖｅｎ［１：０］、偶数ピクセルの色差信号Ｃｒ−ｅｖｅｎ［１：０］の各々がシリアル信号から抽出される。
【０１４１】
デシリアライザ２４は、位相調整部２３によって位相調整されたリンクＬａからのシリアルビット構成の２次元画像信号Ｓ１３をパラレルビット構成の２次元画像信号Ｓ１３に変換する。例えば、デシリアライザ２４は、リンクＬａからのシリアル信号であって、位相調整後のシリアル信号から、輝度信号Ｙ［１１：２］、偶数ピクセルの色差信号Ｃｂ−ｅｖｅｎ［１１：２］、偶数ピクセルの色差信号Ｃｒ−ｅｖｅｎ［１１：２］の各々、ＨＳＹＮＣ信号、ＶＳＹＮＣ信号、ＦＩＥＬＤ信号及びＣＬＯＣＫ信号を抽出して復元する。
【０１４２】
デシリアライザ２５は第２の信号処理部の一例を構成し、位相調整部２３によって位相調整されたリンクＬｂからのシリアルビット構成の２次元画像信号Ｓ１３及び奥行き情報Ｓ２３をパラレルビット構成の２次元画像信号Ｓ１３及び奥行き情報Ｓ２３に変換する。
【０１４３】
例えば、デシリアライザ２５は、リンクＬｂからのシリアル信号であって、位相調整後のシリアル信号から、輝度信号Ｙ［１：０］、 偶数ピクセルの色差信号Ｃｂ−ｅｖｅｎ［１：０］、偶数ピクセルの色差信号Ｃｒ−ｅｖｅｎ［１：０］の各々などを多重した多重ビットＭＵＸ［９：０］、ＨＳＹＮＣ信号、ＶＳＹＮＣ信号、ＦＩＥＬＤ信号及びＣＬＯＣＫ信号を抽出して復元する。受信装置２０３で、２次元画像信号Ｓ１３から奥行き情報Ｓ２３を抽出する手法については本発明の本質ではなく、いかなる手法を用いても良い。
【０１４４】
デシリアライザ２５には、ビット分解部の一例を構成するＭＵＸビット分解部２７が接続され、デシリアライザ２５から出力されるパラレルビット構成の２次元画像信号Ｓ１３を奇数ピクセル又は及び偶数ピクセルに信号分解する。例えば、ＭＵＸビット分解部２７は、ＭＵＸ［９：０］のシリアル信号を分解し、分解したシリアル信号から、パリティビット、輝度信号Ｙ［１：０］、偶数ピクセルの色差信号Ｃｂ−ｅｖｅｎ［１：０］、偶数ピクセルの色差信号Ｃｒ−ｅｖｅｎ［１：０］、奥行き情報Ｓ２３を構成するビットが抽出される。
【０１４５】
デシリアライザ２４及びＭＵＸビット分解部２７には、信号合成部の一例を構成するＹＣビット合成部２６が接続される。ＹＣビット合成部２６は、デシリアライザ２４から出力されるパラレルビット構成の２次元画像信号Ｓ１３と、ＭＵＸビット分解部２７から出力されるパラレルビット構成の２次元画像信号Ｓ１３とをＹＣビット合成する。
【０１４６】
例えば、ＹＣビット合成部２６は、輝度信号Ｙ［１１：２］、偶数ピクセルの色差信号Ｃｂ−ｅｖｅｎ［１１：２］、偶数ピクセルの色差信号Ｃｒ−ｅｖｅｎ［１１：２］、輝度信号Ｙ［１：０］、偶数ピクセルの色差信号Ｃｂ−ｅｖｅｎ［１：０］、偶数ピクセルの色差信号Ｃｒ−ｅｖｅｎ［１：０］の各々をビット合成して、元の輝度信号Ｙ［１１：０］、色差信号Ｃｂ［１１：０］、色差信号Ｃｒ［１１：０］を復元するようになされる。
【０１４７】
この復元によって、輝度信号Ｙ［１１：０］、色差信号Ｃｂ［１１：０］、色差信号Ｃｒ［１１：０］から２次元画像信号Ｓ１３が、信号ＤＰＴ［１１：０］から奥行き情報Ｓ２３が生成されるため、３次元画像信号ＳＲ３に基づく３次元画像を表示できるようになる。当該受信装置２０３が３次元画像信号ＳＲ３を表示できる場合は、前述のように２次元画像信号Ｓ１３と奥行き情報Ｓ２３を両方受信することにより、ユーザは３次元画像信号ＳＲ３を鑑賞できるようになる。
【０１４８】
図１１、図１２Ａ〜Ｃは、３次元画像信号伝送システム３００のＬｉｎｋ−Ａ及びＢにおけるシリアル信号の伝送例（その１，２）を示すタイムチャートである。横軸は時間であり、横軸上の六角形はデータパケットを示している。この例でも、３次元画像信号ＳＴ３が２０ビット（Ｄ［１９：０］）で表現される場合であって、図９及び図１０に示した信号伝送部３０のリンクＬａには、輝度信号Ｙ［１１：２］、偶数ピクセルの色差信号Ｃｂ［１１：２］及び偶数ピクセルの色差信号Ｃｒ［１１：２］が割り振られる。
【０１４９】
図１１に示すリンクＬａによれば、シリアル信号の上位１０ビット（Ｄ［１９：１０］）には、ＳＡＶ区間には固定パターン（３ＦＦ  ０００  ０００  ＸＹＺ）が割り当てられる。ＳＡＶ区間に続いてＡＶ区間には、輝度信号Ｙ０［１１：２］，Ｙ１［１１：２］，Ｙ２［１１：２］・・・・Ｙ１９１９［１１：２］が割り当てられる。ＡＶ区間に続いてＥＡＶ区間には固定パターン（３ＦＦ  ０００  ０００  ＸＹＺ）が割り当てられる。
【０１５０】
更に、シリアル信号の下位１０ビット（Ｄ［９：０］）において、ＳＡＶ区間には固定パターン（３ＦＦ  ０００  ０００  ＸＹＺ）が割り当てられる。ＳＡＶ区間に続いてＡＶ区間には、偶数ピクセルの色差信号Ｃｂ０［１１：２］，Ｃｒ０［１１：２］，Ｃｂ２［１１：２］・・・・Ｃｒ１９１８［１１：２］が割り当てられる。ＡＶ区間に続いてＥＡＶ区間には固定パターン（３ＦＦ  ０００  ０００  ＸＹＺ）が割り当てられる。
【０１５１】
図１２Ａに示すリンクＬｂによれば、シリアル信号の上位１０ビット（Ｄ［１９：１０］）には、リンクＬａと同様にして、ＳＡＶ区間には、固定パターン（３ＦＦ  ０００  ０００  ＸＹＺ）が割り当てられる。ここで、多重ビットをＭＵＸ［９：０］とすると、ＳＡＶ区間に続いてＡＶ区間には、輝度信号Ｙ、色差信号Ｃｂ、色差信号Ｃｒ及び、他の信号を成す多重ビットとしてＭＵＸ０［９：０］，ＭＵＸ１［９：０］，ＭＵＸ２［９：０］・・・・ＭＵＸ１９１９［９：０］が割り当てられる。ＡＶ区間に続いてＥＡＶ区間には、固定パターン（３ＦＦ  ０００  ０００  ＸＹＺ）が割り当てられる。
【０１５２】
更に、シリアル信号の下位１０ビット（Ｄ［９：０］）において、ＳＡＶ区間には固定パターン（３ＦＦ  ０００  ０００  ＸＹＺ）が割り当てられる。ＳＡＶ区間に続いてＡＶ区間には、奥行き情報Ｓ２３の信号ＤＰＴ０［１１：２］，ＤＰＴ１［１１：２］，ＤＰＴ２［１１：２］・・・・ＤＰＴ１９１９［１１：２］が割り当てられる。ＡＶ区間に続いてＥＡＶ区間には固定パターン（３ＦＦ  ０００  ０００  ＸＹＺ）が割り当てられる。
【０１５３】
図１２Ｂに示す多重ビットＭＵＸｅ［９：０］は、図１２Ａから抽出したもので、ＭＳＢ側から上位２ビットにパリティビットが、これに続く下位２ビットには輝度信号Ｙ［１］，［０］が、更に続く下位２ビットには偶数ピクセルの色差信号Ｃｂ［１］，［０］が、更に続く下位２ビットには偶数ピクセルの色差信号Ｃｒ［１］，［０］が各々割り当てられ、ＬＳＢ側の最下位２ビットにはＲｅｓｅｒｖｅ領域が割り当てられる。この例で、多重ビットＭＵＸｅ［９：０］は偶数ピクセル目を示すものである。
【０１５４】
図１２Ｃに示す多重ビットＭＵＸｏ［９：０］も、図１２Ａから抽出したもので、ＭＳＢ側から上位２ビットにパリティビットが、これに続く下位２ビットには輝度信号Ｙ［１］，［０］が、更に続く下位６ビットにはＲｅｓｅｒｖｅ領域が各々割り当てられる。この例で、多重ビットＭＵＸｏ［９：０］は奇数ピクセル目を示すものである。上述のＲｅｓｅｒｖｅ領域には、例えば、奥行き情報Ｓ２３の信号ＤＰＴ［１１：０］の一部のビットや制御信号Ｓｃ等が割り当てられる。
【０１５５】
この例では、多重ビットＭＵＸ［９：０］には、偶数ピクセル毎に２ビットのＲｅｓｅｒｖｅ領域が発生するので、この部分に奥行き情報Ｓ２３の信号ＤＰＴ［１１：０］の一部のビットや制御信号Ｓｃ等を割り当てることができる。また、奇数ピクセル毎に６ビットのＲｅｓｅｒｖｅ領域が発生するので、この部分に奥行き情報Ｓ２３の信号ＤＰＴ［１１：０］の一部のビットや制御信号Ｓｃ等を割り当てることができる。
【０１５６】
これにより、送信装置１０３から受信装置２０３へリンクＬａを利用して、輝度信号Ｙ［１１：２］、偶数ピクセルの色差信号Ｃｂ［１１：２］及び偶数ピクセルの色差信号Ｃｒ［１１：２］を伝送すること、及び、リンクＬｂを利用して、輝度信号Ｙ［１：０］、偶数ピクセルの色差信号Ｃｂ［１：０］、偶数ピクセルの色差信号Ｃｒ［１：０］及び奥行き情報Ｓ２３の信号ＤＰＴ［１１：０］を伝送することができる。
【０１５７】
このように第３の実施形態としての３次元画像信号伝送システム３００及び信号伝送方法によれば、２次元画像信号Ｓ１３と２次元画像信号Ｓ１３の奥行き情報Ｓ２３とを含む３次元画像信号ＳＴ３を伝送する場合に、本発明に係る送信装置１０３及び受信装置２０３が応用されるので、デュアルリンク接続のシリアルディジタルインターフェースの一方のリンクＬａで２次元画像信号Ｓ１３を伝送できると共に、他方のリンクＬｂで２次元画像信号Ｓ１３、かつ／または、奥行き情報Ｓ２３を伝送できるようになる。
【０１５８】
これにより、２次元画像信号Ｓ１３の持つ階調度を低下させることなく、従来のデュアルリンク信号伝送系を用いて、２次元画像信号Ｓ１３と２次元画像信号Ｓ１３の奥行き情報Ｓ２３とを含む３次元画像信号ＳＴ３を伝送することができる。
【０１５９】
更に、片方のリンクＬａのみが接続可能な画像表示装置であって、２次元画像信号Ｓ１３のみが表示可能な画像表示装置においては、３次元画像信号ＳＴ３を受信した場合であっても、２次元画像信号Ｓ１３のみを受信して表示可能となるような３次元画像信号ＳＴ３の伝送システムを構築できるようになる。
【０１６０】
例えば、受信装置２０３が入力ポート２１のみを具備している場合であって、リンクＬａの信号のみが受信できる場合である。この場合、受信装置２０３は、輝度信号Ｙ［１１：２］、偶数ピクセルの色差信号Ｃｂ−ｅｖｅｎ［１１：２］、偶数ピクセルの色差信号Ｃｒ−ｅｖｅｎ［１１：２］の各々を受信しており、これら信号はＹＣｂＣｒ４２２方式の１０ビットの色情報を有している。従って、ユーザは水平解像度１９２０ピクセル、垂直解像度１０８０ライン、ＹＣｂＣｒ４２２方式の１０ビットの２次元画像信号Ｓ１３に基づくカラー画像を鑑賞できるようになる。
【０１６１】
なお、先に述べた通り、奥行き情報Ｓ２３の信号ＤＰＴ［１１：０］は、１２ビット幅であり、例えば、最も奥側が「０」で最も手前側が「４０９６」のように表現されるものとする。但し、このビット幅は必要十分であればよく、必ずしも１２ビット幅に限定されるものではない。例えば、本実施例のように、奥行き情報Ｓ２３に関して、１０ビットの信号ＤＰＴ［１１：２］のみを使用する場合は、シリアライザ１３のデータＤ［９：０］に信号ＤＰＴ［１１：２］を割り当てれば良い。また、信号ＤＰＴのビット幅が８ビットで十分である場合は、そのデータＤ［１１：２］のＭＳＢ側の８ビットのみを使用すれば良い。逆に、１２ビットの幅が必要な場合は、Ｄ［１１：２］以外にＭＵＸｅ［１：０］を使用するなどの手法が考えられる。
【産業上の利用可能性】
【０１６２】
本発明は、デュアルリンク接続のシリアルディジタルインターフェースを用いて、３次元画像表示用の２次元画像信号及び奥行き情報を伝送する３次元画像信号伝送システムに適用して極めて好適である。
【図面の簡単な説明】
【０１６３】
【図１】本発明に係る第１の実施形態としての３次元画像信号伝送システム１００の構成例（送信装置）を示すブロック図である。
【図２】その３次元画像信号伝送システム１００の構成例（受信装置）を示すブロック図である。
【図３】（Ａ）及び（Ｂ）は、リンクＬａ及びリンクＬｂにおけるシリアル信号の伝送例を示すタイムチャートである。
【図４】３次元画像信号伝送システム１００における動作例を示すフローチャートである。
【図５】第２の実施形態としての３次元画像信号伝送システム２００の構成例（送信装置）を示すブロック図である。
【図６】その３次元画像信号伝送システム２００の構成例（受信装置）を示すブロック図である。
【図７】３次元画像信号伝送システム２００のリンクＬａにおけるシリアル信号の伝送例（その１）を示すタイムチャートである。
【図８】（Ａ）は、３次元画像信号伝送システム２００のリンクＬｂにおけるシリアル信号の伝送例（その２）を示すタイムチャートであり、（Ｂ）は、リンクＬｂにおけるＭＵＸ［９：０］のシリアル信号の伝送例（その１）を示すタイムチャートである。
【図９】第３の実施形態としての３次元画像信号伝送システム３００の構成例（送信装置）を示すブロック図である。
【図１０】その３次元画像信号伝送システム３００の構成例（受信装置）を示すブロック図である。
【図１１】３次元画像信号伝送システム３００のリンクＬａにおけるシリアル信号の伝送例（その１）を示すタイムチャートである。
【図１２】（Ａ）は、３次元画像信号伝送システム３００のリンクＬｂにおけるシリアル信号の伝送例（その２）を示すタイムチャートであり、（Ｂ）及び（Ｃ）は、リンクＬｂにおけるＭＵＸ［９：０］の偶数ピクセルと奇数ピクセルのシリアル信号の伝送例（その２）を示すタイムチャートである。
【符号の説明】
【０１６４】
１１・・・ＹＣビット分離部、１２，１３・・・シリアライザ、１４・・・ＭＵＸビット生成部、２１，２２・・・入力ポート、２３・・・位相調整部、２４，２５・・・デシリアライザ、２６・・・ＹＣビット合成部、２７・・・ＭＵＸビット分離部、３０・・・信号伝送部（信号伝送系：リンクＬａ，リンクＬｂ）、１０１，１０２，１０３・・・送信装置、２０１，２０２，２０３・・・受信装置、１００，２００，３００・・・３次元画像信号伝送システム
【図１】
2010114861.tif 000003
【図２】
2010114861.tif 000004
【図３】
2010114861.tif 000005
【図４】
2010114861.tif 000006
【図５】
2010114861.tif 000007
【図６】
2010114861.tif 000008
【図７】
2010114861.tif 000009
【図８】
2010114861.tif 000010
【図９】
2010114861.tif 000011
【図１０】
2010114861.tif 000012
【図１１】
2010114861.tif 000013
【図１２】
2010114861.tif 000014